(57)【特許請求の範囲】
【請求項１】
無線接続システムにおいてＭ２Ｍ機器に関する媒体接続制御（ＭＡＣ）制御メッセージを受信する方法であって、前記方法は、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを受信することと、
前記Ｍ２Ｍ機器に関するＭＡＣ制御メッセージが送信されるリソース領域を指示するリソース割当情報を含むＭ２Ｍマルチキャスト割当Ａ−ＭＡＰ情報要素（Ｍ２Ｍ  ＭＡ  Ａ−ＭＡＰ  ＩＥ）を受信することと、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じてマルチキャストされた前記ＭＡＣ制御メッセージを含む媒体接続制御プロトコルデータユニット（ＭＡＣ  ＰＤＵ）を受信することと
を含み、
前記Ｍ２Ｍ  ＭＡ  Ａ−ＭＡＰ  ＩＥにマスクされた前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、方法。
【請求項２】
前記第１フロー識別子は、前記ＭＡＣ  ＰＤＵがマルチキャストで送信されるＭＡＣ制御メッセージであることを更に表し、
前記第１フロー識別子は、前記暗号化が実行されるか否かを表すために０ｂ００００又は０ｂ０００１に設定される、請求項１に記載の方法。
【請求項３】
前記ページングメッセージを受信した後に、マルチキャストデータを同伴するＭＡＣ  ＰＤＵを受信することを更に含み、
前記ＭＡＣ  ＰＤＵは、前記ＭＡＣ  ＰＤＵが前記マルチキャストデータであることを表す第２フロー識別子を含み、前記第２フロー識別子には、０ｂ０１００の値が割り当てられている、請求項１に記載の方法。
【請求項４】
前記ＭＡＣ制御メッセージは、前記マルチキャストデータの送信終了を表すマルチキャスト送信終了指示（ＡＡＩ−ＭＴＥ−ＩＮＤ）メッセージである、請求項１に記載の方法。
【請求項５】
前記第１フロー識別子が、前記ＭＡＣ  ＰＤＵが暗号化されることを表すと、前記Ｍ２Ｍ機器は、前記ＭＡＣ  ＰＤＵに対する解読過程を更に行う、請求項１に記載の方法。
【請求項６】
無線接続システムにおいてＭ２Ｍ機器に関する媒体接続制御（ＭＡＣ）制御メッセージを送信する方法であって、前記方法は、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを送信することと、
前記Ｍ２Ｍ機器に関するＭＡＣ制御メッセージが送信されるリソース領域を指示するリソース割当情報を含むＭ２Ｍマルチキャスト割当Ａ−ＭＡＰ情報要素（Ｍ２Ｍ  ＭＡ  Ａ−ＭＡＰ  ＩＥ）を送信することと、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じてマルチキャストされた前記ＭＡＣ制御メッセージを含む媒体接続制御プロトコルデータユニット（ＭＡＣ  ＰＤＵ）を送信することと
を含み、
前記Ｍ２Ｍ  ＭＡ  Ａ−ＭＡＰ  ＩＥにマスクされた前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、方法。
【請求項７】
前記第１フロー識別子は、前記ＭＡＣ  ＰＤＵがマルチキャストで送信されるＭＡＣ制御メッセージであることを更に表し、
前記第１フロー識別子は、前記暗号化が実行されるか否かを表すために０ｂ００００又は０ｂ０００１に設定される、請求項６に記載の方法。
【請求項８】
前記ページングメッセージを送信した後に、マルチキャストデータを同伴するＭＡＣ  ＰＤＵを送信することを更に含み、
前記ＭＡＣ  ＰＤＵは、前記ＭＡＣ  ＰＤＵが前記マルチキャストデータであることを表す第２フロー識別子を含み、前記第２フロー識別子には、０ｂ０１００の値が割り当てられている、請求項６に記載の方法。
【請求項９】
前記ＭＡＣ制御メッセージは、前記マルチキャストデータの送信終了を表すマルチキャスト送信終了指示（ＡＡＩ−ＭＴＥ−ＩＮＤ）メッセージである、請求項６に記載の方法。
【請求項１０】
前記第１フロー識別子が、前記ＭＡＣ  ＰＤＵが暗号化されることを表すと、前記Ｍ２Ｍ機器は、前記ＭＡＣ  ＰＤＵに対する解読過程を更に行う、請求項６に記載の方法。
【請求項１１】
無線接続システムにおいて媒体接続制御（ＭＡＣ）制御メッセージを受信するＭ２Ｍ機器であって、前記Ｍ２Ｍ機器は、
受信部と、
前記ＭＡＣ制御メッセージの受信をサポートするプロセッサと
を備え、
前記Ｍ２Ｍ機器は、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを前記受信部を介して受信することと、
前記Ｍ２Ｍ機器に関するＭＡＣ制御メッセージが送信されるリソース領域を指示するリソース割当情報を含むＭ２Ｍマルチキャスト割当Ａ−ＭＡＰ情報要素（Ｍ２Ｍ  ＭＡ  Ａ−ＭＡＰ  ＩＥ）を前記受信部を介して受信することと、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じてマルチキャストされた前記ＭＡＣ制御メッセージを含む媒体接続制御プロトコルデータユニット（ＭＡＣ  ＰＤＵ）を前記受信部を介して受信することと
を実行するように構成されており、
前記Ｍ２Ｍ  ＭＡ  Ａ−ＭＡＰ  ＩＥにマスクされた前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、Ｍ２Ｍ機器。
【請求項１２】
前記第１フロー識別子は、前記ＭＡＣ  ＰＤＵがマルチキャストで送信されるＭＡＣ制御メッセージであることを更に表し、
前記第１フロー識別子は、前記暗号化が実行されるか否かを表すために０ｂ００００又は０ｂ０００１に設定される、請求項１１に記載のＭ２Ｍ機器。
【請求項１３】
前記Ｍ２Ｍ機器は、前記ページングメッセージを受信した後に、マルチキャストデータを同伴するＭＡＣ  ＰＤＵを更に受信し、
前記ＭＡＣ  ＰＤＵは、前記ＭＡＣ  ＰＤＵが前記マルチキャストデータであることを表す第２フロー識別子を含み、前記第２フロー識別子には、０ｂ０１００の値が割り当てられている、請求項１１に記載のＭ２Ｍ機器。
【請求項１４】
前記ＭＡＣ制御メッセージは、前記マルチキャストデータの送信終了を表すマルチキャスト送信終了指示（ＡＡＩ−ＭＴＥ−ＩＮＤ）メッセージである、請求項１１に記載のＭ２Ｍ機器。
【請求項１５】
前記第１フロー識別子が、前記ＭＡＣ  ＰＤＵが暗号化されることを表すと、前記Ｍ２Ｍ機器は、前記ＭＡＣ  ＰＤＵに対する解読過程を更に行う、請求項１１に記載のＭ２Ｍ機器。
【請求項１６】
無線接続システムにおいてＭ２Ｍ機器に関する媒体接続制御（ＭＡＣ）制御メッセージをマルチキャストする基地局であって、前記基地局は、
送信部と、
前記ＭＡＣ制御メッセージの送信をサポートするプロセッサと
を備え、
前記基地局は、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを前記送信部を介して送信することと、
前記Ｍ２Ｍ機器に関するＭＡＣ制御メッセージが送信されるリソース領域を指示するリソース割当情報を含むＭ２Ｍマルチキャスト割当Ａ−ＭＡＰ情報要素（Ｍ２Ｍ  ＭＡ  Ａ−ＭＡＰ  ＩＥ）を前記送信部を介して送信することと、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じてマルチキャストされた前記ＭＡＣ制御メッセージを含む媒体接続制御プロトコルデータユニット（ＭＡＣ  ＰＤＵ）を前記送信部を介して送信することと
を実行するように構成されており、
前記Ｍ２Ｍ  ＭＡ  Ａ−ＭＡＰ  ＩＥにマスクされた前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、基地局。
【請求項１７】
前記第１フロー識別子は、前記ＭＡＣ  ＰＤＵがマルチキャストで送信されるＭＡＣ制御メッセージであることを更に表し、
前記第１フロー識別子は、前記暗号化が実行されるか否かを表すために０ｂ００００又は０ｂ０００１に設定される、請求項１６に記載の基地局。
【請求項１８】
前記ページングメッセージを送信した後に、マルチキャストデータを同伴するＭＡＣ  ＰＤＵを送信することを更に含み、
前記ＭＡＣ  ＰＤＵは、前記ＭＡＣ  ＰＤＵが前記マルチキャストデータであることを表す第２フロー識別子を含み、前記第２フロー識別子には、０ｂ０１００の値が割り当てられている、請求項１６に記載の基地局。
【請求項１９】
前記ＭＡＣ制御メッセージは、前記マルチキャストデータの送信終了を表すマルチキャスト送信終了指示（ＡＡＩ−ＭＴＥ−ＩＮＤ）メッセージである、請求項１６に記載の基地局。
【請求項２０】
前記第１フロー識別子が、前記ＭＡＣ  ＰＤＵが暗号化されることを表すと、前記Ｍ２Ｍ機器は、前記ＭＡＣ  ＰＤＵに対する解読過程を更に行う、請求項１６に記載の基地局。
【発明の詳細な説明】
【技術分野】
【０００１】
本発明は、Ｍ２Ｍ環境を支援する無線接続システムに係り、特に、媒体接続制御（ＭＡＣ：Ｍｅｄｉｕｍ  Ａｃｃｅｓｓ  Ｃｏｎｔｒｏｌ）メッセージをマルチキャストする方法及び装置に関する。
【背景技術】
【０００２】
以下では、本発明において機器間通信環境について簡略に説明する。
【０００３】
機器間通信（Ｍａｃｈｉｎｅ  ｔｏ  Ｍａｃｈｉｎｅ；以下、Ｍ２Ｍ）は、言葉の通り、電子装置と電子装置間の通信を意味する。広義には、電子装置間の有線或いは無線通信や、人間が制御する装置と機械間の通信のことを意味する。しかし、最近では、人間が介入することなく行われる電子装置と電子装置間の無線通信のことを指すのが一般的である。
【０００４】
Ｍ２Ｍ通信は、その概念が初めて導入された１９９０年代初期には、遠隔調整やテレマティックス程度の概念として認識されたし、派生する市場自体も非常に限定されていたが、ここ数年間高速成長を重ねながら、全世界的に注目される市場へと成長してきた。特に、販売管理システム（ＰＯＳ：Ｐｏｉｎｔ  Ｏｆ  Ｓａｌｅｓ）及び保安関連応用市場における物流管理（Ｆｌｅｅｔ  Ｍａｎａｇｅｍｅｎｔ）と、機械及び設備の遠隔モニタリング、建設機械設備上の作動時間測定及び熱や電気使用量の自動測定を行う知能検針（Ｓｍａｒｔ  Ｍｅｔｅｒ）などの分野において大きな影響力を発揮してきた。将来のＭ２Ｍ通信は、既存の移動通信及び無線超高速インターネットやＷｉ−Ｆｉ及びＺｉｇｂｅｅ（登録商標）などの小出力通信ソリューションと連係してより多様な用途に活用され、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００５】
Ｍ２Ｍ通信時代において、ＳＩＭ（Ｓｕｂｓｃｒｉｂｅｒ  Ｉｄｅｎｔｉｔｙ  Ｍｏｄｕｌｅ）カードを装着した機械はいずれもデータ送受信が可能となり、遠隔管理及び統制ができる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００６】
従来では、端末を個別単位に管理するのが一般的であり、基地局と端末間の通信は一対一通信方式で行われていた。このような一対一通信方式で数多くのＭ２Ｍ機器が基地局と通信するとすれば、各Ｍ２Ｍ機器と基地局間に発生するシグナリングによるネットワーク過負荷が予想される。上述したように、Ｍ２Ｍ通信が急に拡散され広範囲化する場合、それらＭ２Ｍ機器同士間、又は各Ｍ２Ｍ機器と基地局間の通信によるオーバーヘッド（ｏｖｅｒｈｅａｄ）が問題になることがある。
【０００７】
また、Ｍ２Ｍ機器の使用が活性化するにつれて一般端末とＭ２Ｍ機器とが混在する環境が作られる。この環境で、既存の通信方法をそのまま利用すると、一般端末がＭ２Ｍ機器に関するメッセージも全てデコードしなければならないという問題が発生することがある。
【０００８】
例えば、ブロードキャストデータ又はマルチキャストデータは、基地局から一対多で送信されるメッセージであって、Ｍ２Ｍ機器と一般端末とを区別することなく送信されると、一般端末及びＭ２Ｍ機器は、送信される全てのブロードキャストデータをデコードしなければならず、電力消耗が急激に増加する他、本来受信すべきデータを受信できなくなる問題がある。
【０００９】
また、Ｍ２Ｍ機器に送信されるＭＡＣ制御メッセージはブロードキャスト形態で送信されるため、Ｍ２Ｍ機器にとっても、ＭＡＣ制御メッセージ（例えば、ＡＡＩ−ＭＴＥ−ＩＮＤ、ＡＡＩ−ＭＧＭＣ）が当該Ｍ２Ｍ機器の属したＭ２Ｍグループに関するメッセージでない場合にも、ＡＡＩ−ＭＴＥ−ＩＮＤメッセージに関するバーストをデコードした後、ＭＡＣ制御メッセージに含まれたＭＧＩＤを確認し、自身の属したＭ２Ｍグループに属したものであるか否かを確認する過程を行わなければならない。
【００１０】
そのため、基地局がＭＡＣ制御メッセージを送信する時点に、当該メッセージが一つのＭ２Ｍグループのみに関する情報を含んでいる場合、該グループに属しない他のＭ２Ｍ機器及び一般端末は不必要なＭＡＣ制御メッセージを受信しなければならないという問題があった。
【発明の概要】
【発明が解決しようとする課題】
【００１１】
本発明は、上記のような一般的な技術の問題点を解決するために案出されたもので、その目的は、Ｍ２Ｍ機器に対する効率的な通信方法を提供することにある。
【００１２】
本発明の他の目的は、Ｍ２Ｍ機器専用のメッセージを定義し、これらのメッセージを送信する方法を提供することにある。
【００１３】
本発明の更に他の目的は、Ｍ２Ｍ機器にとって、自身の属したＭ２Ｍグループに関するＭＡＣ制御メッセージのみを受信することができる方法を提供することにある。
【００１４】
本発明の更に他の目的は、一般端末の不必要なバーストデコードオーバーヘッドを減らし、Ｍ２Ｍ機器の不必要な動作を減らすためにＭＡＣ制御メッセージをマルチキャスト形式で送信する方法を提供することにある。
【００１５】
本発明の更に他の目的は、既存技術との互換性を極力保障しながら、一般端末とＭ２Ｍ機器とを区別して效率よくＭ２Ｍ機器に関する専用メッセージを放送する方法を提供することにある。
【００１６】
本発明で達成しようとする技術的目的は、以上に言及した事項に制限されず、言及していない他の技術的課題は、以下に説明する本発明の実施例から、本発明の属する技術の分野における通常の知識を有する者にとって考慮されるであろう。
【課題を解決するための手段】
【００１７】
上記の技術的課題を解決するために、本発明は、Ｍ２Ｍ環境をサポートする無線接続システムに関するもので、媒体接続制御（ＭＡＣ）制御メッセージをマルチキャストする方法及び装置を提供する。
【００１８】
本発明の一態様として、無線接続システムにおいてＭ２Ｍ機器に関する媒体接続制御（ＭＡＣ）制御メッセージをマルチキャストする方法は、Ｍ２Ｍ機器の属したＭ２Ｍグループを識別するＭ２Ｍグループ識別子（ＭＧＩＤ）及びＭ２Ｍ機器に対するマルチキャストデータ送信を指示する指示子を含むページングメッセージを受信することと、Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を受信することと、Ｍ２Ｍ  ＭＡ  Ａ−ＭＡＰ  ＩＥにマスクされた巡回冗長検査（ＣＲＣ）ビットがＭＧＩＤを含むと、リソース割当情報が指示するリソース領域を通じてマルチキャストされたＭＡＣ制御メッセージを同伴する媒体接続制御プロトコルデータユニット（ＭＡＣ  ＰＤＵ）を受信することと、を含むことができる。このとき、Ｍ２Ｍ  ＭＡ  Ａ−ＭＡＰ  ＩＥにマスクされるＣＲＣビットは、マスキングプレフィックス、タイプ指示子、及びＭＧＩＤで構成され、ＭＡＣ  ＰＤＵのＭＡＣヘッダには、ＭＡＣ  ＰＤＵのペイロードが暗号化されるか否かを表す第１フロー識別子が含まれてもよい。
【００１９】
本発明の他の態様として、無線接続システムにおいてＭ２Ｍ機器に関する媒体接続制御（ＭＡＣ）制御メッセージをマルチキャストする方法は、Ｍ２Ｍ機器の属したＭ２Ｍグループを識別するＭ２Ｍグループ識別子（ＭＧＩＤ）及びＭ２Ｍ機器に対するマルチキャストデータ送信を指示する指示子を含むページングメッセージを送信することと、Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を送信することと、Ｍ２Ｍ  ＭＡ  Ａ−ＭＡＰ  ＩＥにマスクされた巡回冗長検査（ＣＲＣ）ビットがＭＧＩＤを含むと、リソース割当情報が指示するリソース領域を通じてＭＡＣ制御メッセージを同伴する媒体接続制御プロトコルデータユニット（ＭＡＣ  ＰＤＵ）をマルチキャスト方式で送信することと、を含むことができる。このとき、Ｍ２Ｍ  ＭＡ  Ａ−ＭＡＰ  ＩＥにマスクされるＣＲＣビットは、マスキングプレフィックス、タイプ指示子、及びＭＧＩＤで構成されてもよい。ここで、ＭＡＣ  ＰＤＵのＭＡＣヘッダには、ＭＡＣ  ＰＤＵのペイロードが暗号化されるか否かを表す第１フロー識別子が含まれる。
【００２０】
本発明の更に他の態様として、無線接続システムにおいてマルチキャストされた媒体接続制御（ＭＡＣ）制御メッセージを受信するＭ２Ｍ機器は、受信部と、マルチキャストされたＭＡＣ制御メッセージの受信をサポートするプロセッサと、を備えることができる。
【００２１】
ここで、Ｍ２Ｍ機器は、Ｍ２Ｍ機器の属したＭ２Ｍグループを識別するＭ２Ｍグループ識別子（ＭＧＩＤ）及びＭ２Ｍ機器に対するマルチキャストデータ送信を指示する指示子を含むページングメッセージを受信部を介して受信し、Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を受信部を介して受信し、Ｍ２Ｍ  ＭＡ  Ａ−ＭＡＰ  ＩＥにマスクされた巡回冗長検査（ＣＲＣ）ビットが前記ＭＧＩＤを含むと、リソース割当情報が指示するリソース領域を通じてマルチキャストされたＭＡＣ制御メッセージを同伴する媒体接続制御プロトコルデータユニット（ＭＡＣ  ＰＤＵ）を受信することができる。ここで、Ｍ２Ｍ  ＭＡ  Ａ−ＭＡＰ  ＩＥにマスクされるＣＲＣビットは、マスキングプレフィックス、タイプ指示子、及びＭＧＩＤで構成され、ＭＡＣ  ＰＤＵのＭＡＣヘッダには、ＭＡＣ  ＰＤＵのペイロードが暗号化されるか否かを表す第１フロー識別子が含まれる。
【００２２】
本発明の更に他の態様として、無線接続システムにおいてＭ２Ｍ機器に関する媒体接続制御（ＭＡＣ）制御メッセージをマルチキャストする基地局は、送信部と、前記ＭＡＣ制御メッセージのマルチキャスト送信をサポートするプロセッサと、を備えることができる。
【００２３】
ここで、基地局は、Ｍ２Ｍ機器の属したＭ２Ｍグループを識別するＭ２Ｍグループ識別子（ＭＧＩＤ）及びＭ２Ｍ機器に対するマルチキャストデータ送信を指示する指示子を含むページングメッセージを送信部を介して送信し、Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を送信部を介して送信し、Ｍ２Ｍ  ＭＡ  Ａ−ＭＡＰ  ＩＥにマスクされた巡回冗長検査（ＣＲＣ）ビットがＭＧＩＤを含むと、リソース割当情報が指示するリソース領域を通じてＭＡＣ制御メッセージを同伴する媒体接続制御プロトコルデータユニット（ＭＡＣ  ＰＤＵ）をマルチキャスト方式で送信することができる。このとき、Ｍ２Ｍ  ＭＡ  Ａ−ＭＡＰ  ＩＥにマスクされるＣＲＣビットは、マスキングプレフィックス、タイプ指示子、及びＭＧＩＤで構成され、ＭＡＣ  ＰＤＵのＭＡＣヘッダには、ＭＡＣ  ＰＤＵのペイロードが暗号化されるか否かを表す第１フロー識別子が含まれる。
【００２４】
上記の本発明の各態様において、第１フロー識別子は、ＭＡＣ  ＰＤＵがマルチキャストで送信されるＭＡＣ制御メッセージであることを更に表し、第１フロー識別子は、暗号化されるか否かを表すために０ｂ００００又は０ｂ０００１に設定されてもよい。
【００２５】
前記Ｍ２Ｍ端末は、ページングメッセージを受信した後に、マルチキャストデータを同伴するＭＡＣ  ＰＤＵを受信してもよい。このとき、ＭＡＣ  ＰＤＵは、マルチキャストデータであることを表す第２フロー識別子を含み、第２フロー識別子は０ｂ０１００値を有することができる。
【００２６】
ＭＡＣ制御メッセージは、マルチキャストデータの送信終了を表すマルチキャスト送信終了指示（ＡＡＩ−ＭＴＥ−ＩＮＤ）メッセージ又は新しいＭ２Ｍグループ識別子を割り当てるためのＡＩＩ−ＭＧＭＣメッセージであってもよい。
【００２７】
第１フロー識別子が、ＭＡＣ  ＰＤＵが暗号化されることを表すと、Ｍ２Ｍ機器は、ＭＡＣ  ＰＤＵに対する解読過程を更に行うことができる。
本明細書は、例えば、以下の項目も提供する。
（項目１）
無線接続システムにおいてＭ２Ｍ機器に関する媒体接続制御（ＭＡＣ）制御メッセージをマルチキャストする方法であって、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを受信することと、
前記Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を受信することと、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じてマルチキャストされた前記ＭＡＣ制御メッセージを同伴する媒体接続制御プロトコルデータユニット（ＭＡＣ  ＰＤＵ）を受信することと、
を含み、
前記Ｍ２Ｍ  ＭＡ  Ａ−ＭＡＰ  ＩＥにマスクされる前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、ＭＡＣ制御メッセージ送信方法。
（項目２）
前記第１フロー識別子は、前記ＭＡＣ  ＰＤＵがマルチキャストで送信されるＭＡＣ制御メッセージであることを更に表し、
前記第１フロー識別子は、前記暗号化されるか否かを表すために０ｂ００００又は０ｂ０００１に設定される、項目１に記載のＭＡＣ制御メッセージ送信方法。
（項目３）
前記ページングメッセージを受信した後に、マルチキャストデータを同伴するＭＡＣ  ＰＤＵを受信することを更に含み、
前記ＭＡＣ  ＰＤＵは、前記マルチキャストデータであることを表す第２フロー識別子を含み、前記第２フロー識別子は０ｂ０１００値を有する、項目１に記載のＭＡＣ制御メッセージ送信方法。
（項目４）
前記ＭＡＣ制御メッセージは、前記マルチキャストデータの送信終了を表すマルチキャスト送信終了指示（ＡＡＩ−ＭＴＥ−ＩＮＤ）メッセージである、項目１に記載のＭＡＣ制御メッセージ送信方法。
（項目５）
前記第１フロー識別子が前記ＭＡＣ  ＰＤＵが暗号化されることを表すと、前記Ｍ２Ｍ機器は、ＭＡＣ  ＰＤＵに対する解読過程を更に行う、項目１に記載のＭＡＣ制御メッセージ送信方法。
（項目６）
無線接続システムにおいてＭ２Ｍ機器に関する媒体接続制御（ＭＡＣ）制御メッセージをマルチキャストする方法であって、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを送信することと、
前記Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を送信することと、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じて、前記ＭＡＣ制御メッセージを同伴する媒体接続制御プロトコルデータユニット（ＭＡＣ  ＰＤＵ）をマルチキャスト方式で送信することと、
を含み、
前記Ｍ２Ｍ  ＭＡ  Ａ−ＭＡＰ  ＩＥにマスクされる前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、ＭＡＣ制御メッセージ送信方法。
（項目７）
前記第１フロー識別子は、前記ＭＡＣ  ＰＤＵがマルチキャストで送信されるＭＡＣ制御メッセージであることを更に表し、
前記第１フロー識別子は、前記暗号化されるか否かを表すために０ｂ００００又は０ｂ０００１に設定される、項目６に記載のＭＡＣ制御メッセージ送信方法。
（項目８）
前記ページングメッセージを送信した後に、マルチキャストデータを同伴するＭＡＣ  ＰＤＵを送信することを更に含み、
前記ＭＡＣ  ＰＤＵは、前記マルチキャストデータであることを表す第２フロー識別子を含み、前記第２フロー識別子は０ｂ０１００値を有する、項目６に記載のＭＡＣ制御メッセージ送信方法。
（項目９）
前記ＭＡＣ制御メッセージは、前記マルチキャストデータの送信終了を表すマルチキャスト送信終了指示（ＡＡＩ−ＭＴＥ−ＩＮＤ）メッセージである、項目６に記載のＭＡＣ制御メッセージ送信方法。
（項目１０）
前記第１フロー識別子が、前記ＭＡＣ  ＰＤＵが暗号化されることを表すと、前記Ｍ２Ｍ機器は、ＭＡＣ  ＰＤＵに対する解読過程を更に行う、項目６に記載のＭＡＣ制御メッセージ送信方法。
（項目１１）
無線接続システムにおいてマルチキャストされた媒体接続制御（ＭＡＣ）制御メッセージを受信するＭ２Ｍ機器であって、
受信部と、
前記マルチキャストされたＭＡＣ制御メッセージの受信をサポートするプロセッサと、を備え、
前記Ｍ２Ｍ機器は、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを前記受信部を介して受信し、
前記Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を前記受信部を介して受信し、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じてマルチキャストされた前記ＭＡＣ制御メッセージを同伴する媒体接続制御プロトコルデータユニット（ＭＡＣ  ＰＤＵ）を受信し、
前記Ｍ２Ｍ  ＭＡ  Ａ−ＭＡＰ  ＩＥにマスクされる前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、Ｍ２Ｍ機器。
（項目１２）
前記第１フロー識別子は、前記ＭＡＣ  ＰＤＵがマルチキャストで送信されるＭＡＣ制御メッセージであることを更に表し、
前記第１フロー識別子は、前記暗号化されるか否かを表すために０ｂ００００又は０ｂ０００１に設定される、項目１１に記載のＭ２Ｍ機器。
（項目１３）
前記Ｍ２Ｍ機器は、前記ページングメッセージを受信した後に、マルチキャストデータを同伴するＭＡＣ  ＰＤＵを更に受信し、
前記ＭＡＣ  ＰＤＵは、前記マルチキャストデータであることを表す第２フロー識別子を含み、前記第２フロー識別子は、０ｂ０１００値を有する、項目１１に記載のＭ２Ｍ機器。
（項目１４）
前記ＭＡＣ制御メッセージは、前記マルチキャストデータの送信終了を表すマルチキャスト送信終了指示（ＡＡＩ−ＭＴＥ−ＩＮＤ）メッセージである、項目１１に記載のＭ２Ｍ機器。
（項目１５）
前記第１フロー識別子が、前記ＭＡＣ  ＰＤＵが暗号化されることを表すと、前記Ｍ２Ｍ機器はＭＡＣ  ＰＤＵに対する解読過程を更に行う、項目１１に記載のＭ２Ｍ機器。
（項目１６）
無線接続システムにおいてＭ２Ｍ機器に関する媒体接続制御（ＭＡＣ）制御メッセージをマルチキャストする基地局であって、
送信部と、
前記ＭＡＣ制御メッセージのマルチキャスト送信をサポートするプロセッサと、
を備え、
前記基地局は、
前記Ｍ２Ｍ機器の属したＭ２Ｍグループを識別するＭ２Ｍグループ識別子（ＭＧＩＤ）及び前記Ｍ２Ｍ機器に対するマルチキャストデータ送信を指示する指示子を含むページングメッセージを前記送信部を介して送信し、
前記Ｍ２Ｍ機器に関するＭＡＣ制御メッセージが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を前記送信部を介して送信し、
前記Ｍ２Ｍ  ＭＡ  Ａ−ＭＡＰ  ＩＥにマスクされた巡回冗長検査（ＣＲＣ）ビットが前記ＭＧＩＤを含むと、前記リソース割当情報が指示する前記リソース領域を通じて、前記ＭＡＣ制御メッセージを同伴する媒体接続制御プロトコルデータユニット（ＭＡＣ  ＰＤＵ）をマルチキャスト方式で送信し、
前記Ｍ２Ｍ  ＭＡ  Ａ−ＭＡＰ  ＩＥにマスクされる前記ＣＲＣビットは、マスキングプレフィックス、タイプ指示子、及び前記ＭＧＩＤで構成され、
前記ＭＡＣ  ＰＤＵのＭＡＣヘッダには、前記ＭＡＣ  ＰＤＵのペイロードが暗号化されるか否かを表す第１フロー識別子が含まれる、基地局。
（項目１７）
前記第１フロー識別子は、前記ＭＡＣ  ＰＤＵがマルチキャストで送信されるＭＡＣ制御メッセージであることを更に表し、
前記第１フロー識別子は、前記暗号化されるか否かを表すために０ｂ００００又は０ｂ０００１に設定される、項目１６に記載の基地局。
（項目１８）
前記ページングメッセージを送信した後に、マルチキャストデータを同伴するＭＡＣ  ＰＤＵを更に送信し、
前記ＭＡＣ  ＰＤＵは、前記マルチキャストデータであることを表す第２フロー識別子を含み、前記第２フロー識別子は、０ｂ０１００値を有する、項目１６に記載の基地局。
（項目１９）
前記ＭＡＣ制御メッセージは、前記マルチキャストデータの送信終了を表すマルチキャスト送信終了指示（ＡＡＩ−ＭＴＥ−ＩＮＤ）メッセージである、項目１６に記載の基地局。
（項目２０）
前記第１フロー識別子が前記ＭＡＣ  ＰＤＵが暗号化されることを表すと、前記Ｍ２Ｍ機器は、ＭＡＣ  ＰＤＵに対する解読過程を更に行う、項目１６に記載の基地局。
【００２８】
上記本発明の諸態様は、本発明の好適な実施例の一部に過ぎず、本願発明の技術的特徴が反映された様々な実施例が、当該技術の分野における通常の知識を有する者にとって、以下に詳述する本発明の詳細な説明から導出されて理解されるであろう。
【発明の効果】
【００２９】
本発明の実施例によれば、下記のような効果が得られる。
【００３０】
第一に、Ｍ２Ｍ機器に対して效率的にマルチキャストデータを送信することが可能になる。
【００３１】
第二に、Ｍ２Ｍ機器にとっても、自身の属したＭ２Ｍグループに関するＭＡＣ制御メッセージのみを受信し、他のＭ２Ｍグループに関するＭＡＣ制御メッセージは受信しなくて済むため、不必要なデータ受信過程を省くことが可能になる。
【００３２】
第三に、ＭＡＣ制御メッセージをマルチキャスト形式で送信することによって、一般端末の不必要なバーストデコードオーバーヘッドを減らし、Ｍ２Ｍ機器の不必要な動作を減らすことが可能になる。
【００３３】
第四に、既存技術との互換性を極力保障しながら、一般端末とＭ２Ｍ機器を区別して效率的にＭ２Ｍ機器に関する専用メッセージをマルチキャストすることが可能になる。
【００３４】
本発明の付加的な利点、目的、特徴は、以下の説明から、又は当業者が以下の説明に基づいて本発明を実施することから容易に理解されるであろう。また、本発明は、当業者が以下の説明に基づいて本発明を実施する上で予測できない長所を導出することもできる。
【図面の簡単な説明】
【００３５】
添付の図面は、本発明に関する理解を助けるためのもので、詳細な説明と共に本発明の実施例を提供する。ただし、本発明の技術的特徴が特定図面に限定されるものではなく、各図で開示する特徴を組み合わせて新しい実施例とすることができる。
【図１】本発明の実施例として、Ｍ２Ｍ機器及び基地局などの装置構成を概略的に説明するための図である。
【図２】本発明に適用することができる、遊休モードでのページング方法の一つを示すフローチャートである。
【図３】本発明の実施例として、ＭＡＣ制御メッセージをマルチキャスト形式で送信する方法の一例を示す図である。
【図４】本発明の実施例として、ＭＡＣ制御メッセージをマルチキャスト形式で送信する方法の他の例を示す図である。
【図５】本発明の実施例として、基地局がＭＡＣ制御メッセージをマルチキャスト形式で送信する過程を示すフローチャートである。
【図６】本発明の実施例として、マルチキャスト形式で送信されるＭＡＣ制御メッセージをＭ２Ｍ機器で受信する過程を示すフローチャートである。
【発明を実施するための形態】
【００３６】
本発明の実施例は、Ｍ２Ｍ環境を支援する無線接続システムにおいて、媒体接続制御（ＭＡＣ：Ｍｅｄｉｕｍ  Ａｃｃｅｓｓ  Ｃｏｎｔｒｏｌ）制御メッセージをマルチキャストする方法及び装置を提供する。
【００３７】
以下の実施例は、本発明の構成要素と特徴を所定の形態で結合したものである。各構成要素又は特徴は、特別な明示的言及がない限り、選択的なものとして考慮すればよい。各構成要素又は特徴は、他の構成要素や特徴と結合しない形態で実施してもよく、一部の構成要素及び／又は特徴を結合して本発明の実施例を構成してもよい。本発明の実施例で説明される動作の順序は変更してもよい。ある実施例の一部構成や特徴は、他の実施例に含まれてもよく、又は他の実施例の対応する構成又は特徴に取り替えられてもよい。
【００３８】
図面に関する説明において、本発明の要旨を曖昧にさせると判断される手順又は段階などは記述せず、また、当業者のレベルで理解できるような手順又は段階も記述しないものとする。
【００３９】
本明細書で、本発明の実施例が基地局と移動局間のデータ送受信関係を中心に説明されている。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００４０】
すなわち、基地局を含む複数のネットワークノードで構成されるネットワークにおいて、移動局との通信のために行われる様々な動作は、基地局又は基地局以外の他のネットワークノードによって行われる。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）、又はアクセスポイント（ａｃｃｅｓｓ  ｐｏｉｎｔ）などの用語に代替してもよい。
【００４１】
また、「移動局（ＭＳ：Ｍｏｂｉｌｅ  Ｓｔａｔｉｏｎ）」は、ＵＥ（Ｕｓｅｒ  Ｅｑｕｉｐｍｅｎｔ）、ＳＳ（Ｓｕｂｓｃｒｉｂ  ｅｒＳｔａｔｉｏｎ）、ＭＳＳ（Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、発展した移動端末（ＡＭＳ：Ａｄｖａｎｃｅｄ  Ｍｏｂｉｌｅ  Ｓｔａｔｉｏｎ）、又は端末（Ｔｅｒｍｉｎａｌ）などの用語に代替してもよい。特に、本発明では、移動局をＭ２Ｍ機器と同じ意味で使うことができる。
【００４２】
また、送信端は、データサービス又は音声サービスを提供する固定及び／又は移動ノードのことを意味し、受信端は、データサービス又は音声サービスを受信する固定及び／又は移動ノードのことを意味する。したがって、アップリンクでは移動局を送信端、基地局を受信端とすることができる。同様に、ダウンリンクでは移動局を受信端、基地局を送信端とすることができる。
【００４３】
本発明の実施例は、無線接続システムであるＩＥＥＥ  ８０２．ｘｘシステム、３ＧＰＰシステム、３ＧＰＰ  ＬＴＥシステム及び３ＧＰＰ２システムの少なくとも一つに開示された標準文書によってサポートすることができる。すなわち、本発明の実施例において説明していない明らかな段階又は部分は、これらの文書を参照して説明することができる。
【００４４】
また、本文書で開示している全ての用語は、上記標準文書によって説明することができる。特に、本発明の実施例は、ＩＥＥＥ  ８０２．１６システムの標準文書であるＰ８０２．１６ｅ−２００４、Ｐ８０２．１６ｅ−２００５、Ｐ８０２．１６ｍ、Ｐ８０２．１６ｐ及びＰ８０２．１６．１ｂの一つ以上によってサポートすることができる。
【００４５】
以下、本発明の好適な実施の形態を添付の図面を参照して詳細に説明する。添付の図面と共に以下に開示される詳細な説明は、本発明の例示的な実施の形態を説明するためのもので、本発明を実施できる唯一の実施の形態を示すためのものではない。
【００４６】
以下では、添付の図面を参照しつつ本発明の実施例について、本発明の属する技術の分野における通常の知識を有する者が容易に実施できるように詳細に説明する。しかし、本発明は、他の様々な形態で具現されてもよく、ここで説明する実施例に限定されるものではない。なお、図面中、本発明を明確に説明するために、説明と関係しない部分は省略し、明細書全体を通じて同一の部分には同一の図面符号を付する。
【００４７】
明細書全体において、ある部分がある構成要素を「含む」としたとき、これは、特別な記載がない限り、他の構成要素を除外するという意味ではなく、他の構成要素を更に含んでもよいという意味である。また、明細書に記載された「…部」、「…器」、「モジュール」などの用語は少なくとも一つの機能や動作を処理する単位を意味し、これは、ハードウェア、ソフトウェア、又はハードウェアとソフトウェアとの結合によって具現することができる。
【００４８】
また、本発明の実施例で使用する特定用語は、本発明の理解を助けるために提供されたものであり、このような特定用語の使用は、本発明の技術的思想から逸脱しない範囲で他の形態に変更してもよい。
【００４９】
１．Ｍ２Ｍ機器一般
【００５０】
以下で、Ｍ２Ｍ機器間の通信は、基地局を経由した端末間、人間の介入無しで基地局と端末間で行う通信形態、又はＭ２Ｍ機器間の通信形態を意味する。したがって、Ｍ２Ｍ機器（Ｄｅｖｉｃｅ）は、上記のようなＭ２Ｍ機器の通信をサポートできる端末を意味する。
【００５１】
Ｍ２Ｍサービスのための接続サービスネットワークは、Ｍ２Ｍ  ＡＳＮ（Ｍ２Ｍ  Ａｃｃｅｓｓ  Ｓｅｒｖｉｃｅ  Ｎｅｔｗｏｒｋ）と定義し、Ｍ２Ｍ機器と通信するネットワークエンティティをＭ２Ｍサーバーという。Ｍ２Ｍサーバーは、Ｍ２Ｍアプリケーションを行い、一つ以上のＭ２Ｍ機器のためのＭ２Ｍ特定サービスを提供する。Ｍ２Ｍフィーチャ（ｆｅａｔｕｒｅ）は、Ｍ２Ｍアプリケーションの特徴であり、アプリケーションを提供するために一つ以上の特徴を必要とすることがある。Ｍ２Ｍ機器グループは、共通の一つ以上の特徴を共有するＭ２Ｍ機器のグループを意味する。
【００５２】
Ｍ２Ｍ方式で通信する機器（すなわち、Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器など、様々に呼ぶことができる。）は、その機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加していくだろう。
【００５３】
機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔維持及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ：Ｐｏｉｎｔ  Ｏｆ  Ｓａｌｅｓ）及び保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間の測定及び熱や電気使用量の自動測定を行う知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがある。ただし、これらに機器アプリケーションタイプが限定されることはなく、その他様々な機器アプリケーションタイプを適用してもよい。
【００５４】
Ｍ２Ｍ機器の他の特性には、低い移動性、又は一度設置されたら殆ど移動しないという特性がある。すなわち、Ｍ２Ｍ機器は相当長時間固定的（ｓｔａｔｉｏｎａｒｙ）であるということを意味する。Ｍ２Ｍ通信システムは、保安接続及び監視（ｓｅｃｕｒｅｄ  ａｃｃｅｓｓ  ａｎｄ  ｓｕｒｖｅｉｌｌａｎｃｅ）、治安（ｐｕｂｌｉｃ  ｓａｆｅｔｙ）、支払い（ｐａｙｍｅｎｔ）、遠隔維持及び制御（ｒｅｍｏｔｅ  ｍａｉｎｔｅｎａｎｃｅ  ａｎｄ  ｃｏｎｔｒｏｌ）、検針（ｍｅｔｅｒｉｎｇ）などのように固定した位置を有する特定Ｍ２Ｍアプリケーションのための移動性関連動作を単純化したり又は最適化すればよい。
【００５５】
このように機器アプリケーションタイプが増加すると、Ｍ２Ｍ通信機器の数は一般移動通信機器の数に比べて飛躍的に増加するだろう。そのため、これら機器の全てがそれぞれ個別に基地局と通信を行う場合、無線インターフェース及び／又はネットワークに深刻な負荷を与えることがある。
【００５６】
以下では、Ｍ２Ｍ通信が無線通信システム（例えば、Ｐ８０２．１６ｅ、Ｐ８０２．１６ｍ、Ｐ８０２．１６．１ｂ、Ｐ８０２．１６ｐなど）に適用される場合を挙げて本発明の実施例を説明する。しかし、本発明はこれに限定されず、３ＧＰＰ  ＬＴＥ／ＬＴＥ−Ａシステムなど他の通信システムに適用することもできる。
【００５７】
図１は、本発明の実施例に係るＭ２Ｍ機器及び基地局などの装置構成を概略的に説明するための図である。
【００５８】
図１で、Ｍ２Ｍ機器１００及び基地局１５０はそれぞれ、無線周波数ユニット（ＲＦユニット）１１０，１６０、プロセッサ１２０，１７０、及び選択的にメモリー１３０，１８０を備えることができる。図１では、一つのＭ２Ｍ機器と一つの基地局の構成を示しているが、複数のＭ２Ｍ機器と基地局間にＭ２Ｍ通信環境を構築することもできる。
【００５９】
各ＲＦユニット１１０，１６０はそれぞれ、送信器１１１，１６１及び受信器１１２，１６２を備えることができる。Ｍ２Ｍ機器１００の送信器１１１及び受信器１１２は、基地局１５０及び他のＭ２Ｍ機器と信号を送信及び受信するように構成し、プロセッサ１２０は、送信器１１１及び受信器１１２と機能的に接続し、送信器１１１及び受信器１１２が他の機器と信号を送受信する過程を制御するように構成することができる。また、プロセッサ１２０は、送信する信号に対する各種処理を行って送信器１１１に送信し、受信器１１２が受信した信号の処理を行うことができる。
【００６０】
必要な場合、プロセッサ１２０は、交換したメッセージに含まれた情報をメモリー１３０に保存することができる。このような構造によって、Ｍ２Ｍ機器１００は以下に説明する本発明の様々な実施の形態に係る方法を実行することができる。
【００６１】
一方、図１に示してはいないが、Ｍ２Ｍ機器１００は、その機器アプリケーションタイプによって様々な追加構成を有することもできる。例えば、Ｍ２Ｍ機器１００が知能型計量のためのものである場合、Ｍ２Ｍ機器１００は電力測定などのための追加的な構成を有することができ、このような電力測定動作は、図１に示したプロセッサ１２０によって制御されてもよく、又は、別個に構成されたプロセッサ（図示せず）によって制御されてもよい。
【００６２】
図１は、Ｍ２Ｍ機器１００と基地局１５０間に通信がなされる場合を例示しているが、本発明に係るＭ２Ｍ通信方法は、複数のＭ２Ｍ機器間に発生することもあり、それぞれの機器は、図１に示した各装置構成と同じ形態で後述の様々な実施の形態に係る方法を実行することができる。
【００６３】
基地局１５０の送信器１６１及び受信器１６２は、他の基地局、Ｍ２Ｍサーバー、Ｍ２Ｍ機器と信号を送信及び受信するように構成し、プロセッサ１７０は、送信器１６１及び受信器１６２と機能的に接続し、送信器１６１及び受信器１６２が他の機器と信号を送受信する過程を制御するように構成することができる。また、プロセッサ１７０は、送信する信号に対する各種処理を行って送信器１６１に送信し、受信器１６２が受信した信号に対する処理を行うことができる。必要な場合、プロセッサ１７０は、交換しメッセージに含まれた情報をメモリー１８０に保存することができる。このような構造によって基地局１５０は、後述する様々な実施の形態に係る方法を実行することができる。
【００６４】
Ｍ２Ｍ機器１１０及び基地局１５０の各プロセッサ１２０，１７０はそれぞれ、Ｍ２Ｍ機器１１０及び基地局１５０での動作を指示（例えば、制御、調整、管理など）する。それぞれのプロセッサ１２０，１７０は、プログラムコード及びデータを保存するメモリー１３０，１８０と接続することができる。メモリー１３０，１８０はプロセッサ１２０，１７０に接続し、オペレーティングシステム、アプリケーション、及び一般ファイル（ｇｅｎｅｒａｌ  ｆｉｌｅｓ）を保存する。
【００６５】
本発明のプロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。一方、プロセッサ１２０，１７０は、ハードウェア（ｈａｒｄｗａｒｅ）、ファームウェア（ｆｉｒｍｗａｒｅ）、ソフトウェア、又はこれらの結合によって具現することができる。ハードウェアを用いて本発明の実施例を具現する場合には、本発明を実行ように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、又はＦＰＧＡｓ（ｆｉｅｌｄ  ｐｒｏｇｒａｍｍａｂｌｅ  ｇａｔｅ  ａｒｒａｙｓ）などをプロセッサ１２０，１７０に備えることができる。
【００６６】
一方、ファームウェアやソフトウェアを用いて本発明の実施例を具現する場合には、本発明の機能又は動作を実行するモジュール、手順又は関数などを含むようにファームウェアやソフトウェアを構成することができ、本発明を実行できるように構成されたファームウェア又はソフトウェアは、プロセッサ１２０，１７０内に設けたり又はメモリー１３０，１８０に格納し、プロセッサ１２０，１７０によって駆動することができる。
【００６７】
２．遊休モード（Ｉｄｌｅ  Ｍｏｄｅ）
【００６８】
以下では、本発明の実施例が実行されるＭ２Ｍ環境における遊休モード（Ｉｄｌｅ  Ｍｏｄｅ）について説明する。
【００６９】
遊休モードとは、Ｍ２Ｍ機器（すなわち、端末）が基地局からトラフィック（ｔｒａｆｆｉｃ）を一定時間受信しないとき、電力を節約（Ｐｏｗｅｒ  ｓａｖｉｎｇ）するよう、ページンググループ（Ｐａｇｉｎｇ  Ｇｒｏｕｐ）、ページングサイクル（Ｐａｇｉｎ  ｇＣｙｃｌｅ）、ページングオフセット（Ｐａｇｉｎｇ  Ｏｆｆｓｅｔ）を運用するモードのことをいう。
【００７０】
例えば、遊休モードに遷移した端末は、ページングサイクルのページング利用可能区間（Ａｖａｉｌａｂｌｅ  Ｉｎｔｅｒｖａｌ）でのみ、基地局が放送する放送メッセージ（例えば、ページングメッセージ）を受信し、一般モード（ｎｏｒｍａｌ  ｍｏｄｅ）に遷移するか又は遊休状態を維持するかを判断することができる。
【００７１】
また、遊休モードは、端末が広範囲な地域にわたって複数の基地局が存在する無線リンク環境を歩き回る場合にも、特定基地局に登録することなく（すなわち、ハンドオーバーなどを行うことなく）周期的にダウンリンクメッセージを受信することができるメカニズムである。
【００７２】
遊休モードは、説明の便宜上、ＩＥＥＥ  ８０２．１６ｅ、１６ｍ、１６ｐシステムを基準にして記述する。しかし、本発明の技術的思想がこれに限定されることはない。端末は、遊休モードに進入する目的で、基地局との登録解除を要請するために基地局に登録解除要請（ＤＲＥＧ−ＲＥＱ：Ｄｅｒｅｇｉｓｔｒａｔｉｏｎ  Ｒｅｑｅｕｓｔ）メッセージを送信する。以降、基地局はＤＲＥＧ−ＲＥＱメッセージに対する応答として登録解除応答（ＤＲＥＧ−ＲＳＰ：Ｄｅｒｅｇｉｓｔｒａｔｉｏｎ  Ｒｅｓｐｏｎｓｅ）メッセージを端末に送信する。この時、ＤＲＥＧ−ＲＳＰメッセージはページング情報（Ｐａｇｉｎｇ  Ｉｎｆｏｒｍａｔｉｏｎ）を含む。ここで、端末の遊休モードへの進入は基地局の要請によって開始されることもある（ｕｎｓｏｌｉｃｉａｔｅｄ  ｍａｎｎｅｒ）。この場合、基地局は端末にＤＲＥＧ−ＲＳＰメッセージを送信する。
【００７３】
ページング情報（Ｐａｇｉｎｇ  Ｉｎｆｏｒｍａｔｉｏｎ）は、ページング周期（Ｐａｇｉｎｇ  Ｃｙｃｌｅ）、ページングオフセット（Ｐａｇｉｎｇ  Ｏｆｆｓｅｔ）、ページンググループ識別子（ＰＧＩＤ：Ｐａｇｉｎｇ  Ｇｒｏｕｐ  ＩＤｅｎｔｉｆｉｅｒ）及びページング聴取区間（Ｐａｇｉｎｇ  Ｌｉｓｔｅｎｉｎｇ  Ｉｎｔｅｒｖａｌ）値などを含むことができる。
【００７４】
基地局からＤＲＥＧ−ＲＳＰメッセージを受信した端末は、当該ページング情報を参照して遊休モードに進入する。遊休モードは、ページング周期（Ｐａｇｉｎｇ  Ｃｙｃｌｅ）を有し、一つのページング周期は、ページング聴取区間（Ｐａｇｉｎｇ  Ｌｉｓｔｅｎｉｎｇ  Ｉｎｔｅｒｖａｌ）及び利用不可区間（Ｕｎａｖａｉｌａｂｌｅ  Ｉｎｔｅｒｖａｌ）で構成することができる。このとき、ページング聴取区間は、利用可能区間（Ａｖａｉｌａｂｌｅ  Ｉｎｔｅｒｖａｌ）又はページング区間（ｐａｇｉｎｇ  ｉｎｔｅｒｖａｌ）と同じ概念で使うことができる。
【００７５】
ページングオフセットは、ページング周期内でページング聴取区間が始まる時点（例えば、フレーム又はサブフレーム）を表す。また、ページンググループ識別子は、端末に割り当てられたページンググループの識別子を表す。また、ページング情報は、ページングメッセージオフセット（ｐａｇｉｎｇ  ｍｅｓｓａｇｅ  ｏｆｆｓｅｔ）情報を含むことができる。ここで、ページングメッセージオフセット情報は、基地局からページングメッセージが送信される時点を表す。
【００７６】
以降、端末はページング情報を用いてページング聴取区間で自身に伝達されるページングメッセージを受信することができる。ここで、ページングメッセージは基地局又はページング制御機から送信することができる。すなわち、端末は、ページングメッセージを受信するためにページング周期によって無線チャネルをモニタする。
【００７７】
図２は、本発明に適用することができる、遊休モードでのページング方法の一つを示すフローチャートである。
【００７８】
基地局は、自身の属したページンググループ内に存在する遊休モードの端末にダウンリンクデータが発生すると、当該端末にそれを知らせるためにページングメッセージを送信することができる。端末は、自身のページング聴取区間でページングメッセージを受信し、自身に伝達されるダウンリンク（ＤＬ）データがあるか否か確認する（Ｓ２１０）。
【００７９】
もし、ダウンリンクデータがあると（すなわち、ｐｏｓｉｔｉｖｅ  ｉｎｄｉｃａｔｉｏｎ）、端末は、レンジング（ｒａｎｇｉｎｇ）過程を含むネットワーク再進入（ｎｅｔｗｏｒｋ  ｒｅｅｎｔｒｙ）過程を行う（Ｓ２２０）。以降、端末は基地局と動的サービス追加（ＤＳＡ：Ｄｙｎａｍｉｃ  Ｓｅｒｖｉｃｅ  Ａｄｄｉｔｉｏｎ）過程によって関連のダウンリンクサービスフローに対する接続を設定する過程（Ｃｏｎｎｅｃｔｉｏｎ  Ｓｅｔｕｐ）を行う（Ｓ２３０）。
【００８０】
サービスフローに対する接続が設定された後、基地局は端末に当該サービスに関するダウンリンク制御情報及びダウンリンクデータを送信する（Ｓ２４０）。
【００８１】
Ｍ２Ｍシナリオにおいて、大部分のＭ２Ｍ機器（ｄｅｖｉｃｅ）は、携帯電話のような一般端末のようにユーザが持って歩く端末でないため、Ｍ２Ｍ機器に対する自動アプリケーション（ａｕｔｏｍａｔｉｃ  ａｐｐｌｉｃａｔｉｏｎ）又はファームウェアアップデート（ｆｉｒｍｗａｒｅ  ｕｐｄａｔｅ）過程はＭ２Ｍサービスシナリオにおいて主要なアプリケーション（ａｐｐｌｉｃａｔｉｏｎ）となり得る。
【００８２】
例えば、各機器（ｄｅｖｉｃｅ）のファームウェア（ｆｉｒｍｗａｒｅ）をアップデートするために、Ｍ２Ｍサーバーは、該当のアプリケーション（ａｐｐｌｉｃａｔｉｏｎ）を有しているＭ２Ｍ機器にアップデートされた情報を送信することができる。遊休モードのＭ２Ｍ機器に共通に送信すべきこのようなマルチキャストデータ（ｍｕｌｔｉｃａｓｔ  ｄａｔａ）を送信するために、基地局は、図２で説明したページング過程を通じて当該Ｍ２Ｍ機器をページングすればよい。
【００８３】
ページングされた端末はランダムアクセスコード（ｒａｎｄｏｍ  ａｃｃｅｓｓ  ｃｏｄｅ）の送信を開始してネットワーク再進入（ｎｅｔｗｏｒｋ  ｒｅｅｎｔｒｙ）過程を行ってネットワークに接続し、基地局が送信したダウンリンクトラフィック（ＤＬ  ｔｒａｆｆｉｃ）を受信する。これらの過程はネットワーク（ｎｅｔｗｏｒｋ）の不必要なリソース使用を増加させることがある。また、Ｍ２Ｍ機器及び一般端末が混在している状況で、互いに不必要なデータを受信することによって各端末の電力消耗が増加することもある。
【００８４】
３．Ｍ２Ｍグループ識別子（ＭＧＩＤ）
【００８５】
Ｍ２Ｍグループ領域（Ｍ２Ｍ  Ｇｒｏｕｐ  Ｚｏｎｅ）は、複数のＡＢＳを含む論理的領域である。Ｍ２Ｍグループ領域は、Ｍ２Ｍグループ領域識別子（Ｍ２Ｍ  ＧＲＯＵＰ  ＩＤ）によって識別する。Ｍ２Ｍグループ領域識別子はＡＡＩ−ＳＣＤメッセージによってブロードキャストすることができる。ＭＧＩＤ（Ｍ２Ｍ  Ｇｒｏｕｐ  Ｉｄｅｎｔｉｆｉｅｒ）は、Ｍ２Ｍグループ領域内でＭ２Ｍ機器のグループによって共有されるダウンリンクマルチキャストサービスフローを識別する１２ビットの固有値である。
【００８６】
Ｍ２Ｍ機器は、放送メッセージ（例えば、ＡＡＩ−ＳＣＤメッセージ）内のＭ２Ｍグループ領域識別子の順序に基づいて黙示的にＭ２Ｍグループ領域識別子に相応する領域インデックスを導出する。Ｍ２Ｍグループ領域識別子に最初に含まれた領域インデックスは０と割り当てられ、領域インデックスは、基地局によってサポートされるＭ２Ｍグループ領域の最大値が４と定義される場合、ＭＡＸ＿Ｍ２Ｍ＿ＧＲＯＵＰ＿ＺＯＮＥ−１まで連続して増加する。
【００８７】
ＡＢＳが一つのＭ２Ｍグループ領域のみの一部である場合には、基地局は一つのＭ２Ｍ  ＧＲＯＵＰ  ＺＯＮＥ＿ＩＤのみを放送し、Ｍ２Ｍ機器は、相応するＭ２Ｍグループ領域インデックス（０ｂ００）を導出する。Ｍ２Ｍ機器グループは、ＭＧＩＤ及び相応するＭ２Ｍグループ領域インデックスを用いて見つける。全てのＭＧＩＤは同一のＭ２Ｍグループ領域に属したＭ２Ｍ機器に割り当てられる。ＭＧＩＤは、初期ネットワーク進入過程後にＤＳＡ過程によってＭ２Ｍ機器のマルチキャストサービスフローに割り当てられる。また、ＭＧＩＤは、明示的にネットワークから出たりＭ２Ｍ機器がＤＣＲモードに進入する場合に解除される。割り当てられたＭＧＩＤは、Ｍ２Ｍ機器が遊休モード状態にある場合にも維持されるが、Ｍ２Ｍ機器が当該ネットワークから出たり、ネットワークで割り当てられたＭＧＩＤに関連したサービスフローを明示的に削除する場合に解除される。
【００８８】
互いに異なるマルチキャストサービスフローに対して複数のＭＧＩＤをＭ２Ｍ機器に割り当てることができる。ＭＧＩＤは、接続状態及び遊休モード状態で再び割り当てることができる。接続状態でＭＧＩＤはＤＳＣ過程及びＤＳＤ過程によって変更したり、削除することができる。遊休モード状態でＭＧＩＤは位置更新（ＬＵ：Ｌｏｃａｔｉｏｎ  Ｕｐｄａｔｅ）又はネットワーク再進入過程によって変更するできる。
【００８９】
基地局がマルチキャストグループ内における全てのＭ２Ｍ機器に対するＭＧＩＤを変更しようとするとき、基地局はページングメッセージを用いてグループ位置更新をトリガーすることができる。Ｍ２Ｍ機器がタイマーベースの位置更新を行う時、基地局が当該Ｍ２Ｍ機器に対するＭＧＩＤを更新する必要がある場合には、基地局は位置更新過程でレンジング要請（ＡＡＩ−ＲＮＧ−ＲＥＱ）メッセージに対する応答として、新しいＭＧＩＤを含むレンジング応答（ＡＡＩ−ＲＮＧ−ＲＳＰ）メッセージを送信することができる。
【００９０】
基地局はＭＧＩＤの更新及びグループ内における全てのＭ２Ｍ機器に対する新しい値を指示するためにページングメッセージ（例、ＡＡＩ−ＰＡＧ−ＡＤＶ）を送信することができる。ＭＧＩＤによって識別されるＭ２Ｍグループに属した遊休モードのＭ２Ｍ機器が該当のＭＧＩＤ、及び０ｂ１１に設定された動作コード（Ａｃｔｉｏｎ  Ｃｏｄｅ）を含むページングメッセージを受信すると、当該Ｍ２Ｍ機器は、指示された新しいＭＧＩＤ値に基づいてＭＧＩＤを更新しなければならない。
【００９１】
４．フロー識別子（ＦＩＤ：Ｆｌｏｗ  Ｉｄｅｎｔｉｆｉｅｒ）
【００９２】
各端末（ＡＭＳ）の接続には、当該接続を固有に識別するための４ビットのＦＩＤが割り当てられる。ＦＩＤは、制御接続（Ｃｏｎｔｒｏｌ  Ｃｏｎｎｅｃｔｉｏｎ）及びユニキャスト送信接続（Ｕｎｉｃａｓｔ  Ｔｒａｎｓｐｏｒｔ  Ｃｏｎｎｅｃｔｉｏｎ）を識別する。Ｅ−ＭＢＳ接続に対するＦＩＤは、固有識別子である１２ビットのＥ−ＭＢＳ  ＩＤと一緒に、Ｅ−ＭＢＳゾーンの領域において特定Ｅ−ＭＢＳフローを識別するために用いられる。マルチキャスト接続（Ｍｕｌｔｉｃａｓｔ  ｃｏｎｎｅｃｔｉｏｎ）に対するＦＩＤは、ＡＢＳ領域において特定マルチキャストフローを固有に識別するために１２ビットのマルチキャストグループ識別子（Ｍｕｌｔｉｃａｓｔ  Ｇｒｏｕｐ  ＩＤ）と共に用いられる。ダウンリンク及びアップリンク送信ＦＩＤ（ＤＬ  ａｎｄ  ＵＬ  Ｔｒａｎｓｐｏｒｔ  ＦＩＤ）は、下記の表１に定義された送信ＦＩＤスペースから割り当てられる。
【００９３】
【表１】
0006055840.tif 000002
【００９４】
一つの特定ＤＬ送信接続に割り当てられたＦＩＤは、同一のＡＭＳに属した他のＤＬ送信接続に割り当てられない。また、一つの特定ＵＬ送信接続に割り当てられたＦＩＤは、同一のＡＭＳに属した他のＵＬ送信接続に割り当てられない。ＤＬ送信接続に用いられたＦＩＤは、同一のＡＭＳに属した他のＵＬ送信接続に割り当てられてもよく、ＵＬ送信接続に用いられたＦＩＤは、同一のＡＭＳに属した他のＤＬ送信接続に割り当てられてもよい。
【００９５】
特定ＦＩＤはあらかじめ割り当てられてもよい。例えば、ＦＩＤ値のうち、表１の「００００」及び「０００１」を、制御ＦＩＤを指示するために用いることができる。また、「００１０」及び「００１１」はシグナリングヘッダ及び基本サービスフローに対するＦＩＤを指示するためにそれぞれ用いることができる。表１で開示されたＦＩＤ及びステーション識別子（ＳＴＩＤ：Ｓｔａｔｉｏｎ  Ｉｄｅｎｔｉｆｉｅｒ）の組合せによって如何なるＡＢＳでの接続も識別することができる。
【００９６】
５．媒体接続制御（ＭＡＣ）制御メッセージ
【００９７】
以下では、本発明の実施例で用いられる制御メッセージについて詳細に説明する。
【００９８】
（１）ブロードキャスト割当Ａ−ＭＡＰ情報要素
【００９９】
ブロードキャスト割当Ａ−ＭＡＰ情報要素（ＢＡ  Ａ−ＭＡＰ  ＩＥ：Ｂｒｏａｄｃａｓｔ  Ａｓｓｉｇｍｅｎｔ  Ａ−ＭＡＰ  Ｉｎｆｏｒｍａｔｉｏｎ  Ｅｌｅｍｅｎｔ）は、ブロードキャストバースト、マルチキャストバースト又はＮＳ−ＲＣＨに対するリソースを割り当てるために送信される。ブロードキャストバーストは一つ以上のブロードキャストＭＡＣ制御メッセージを含むことができる。下記の表２は、本発明の実施例で用いることができるＢＡ  Ａ−ＭＡＰ  ＩＥの構造の一つを表すものである。
【０１００】
【表２−１】
0006055840.tif 000003
【表２−２】
0006055840.tif 000004
【表２−３】
0006055840.tif 000005
【０１０１】
ＢＡ  Ａ−ＭＡＰ  ＩＥに含まれるフィールドの具体的な動作は、表２に説明されている。表２で、機能インデックス（Ｆｕｎｃｔｉｏｎ  ｉｎｄｅｘ）が０ｂ００を表すと、当該ＢＡ  Ａ−ＭＡＰ  ＩＥが放送割当情報を含むことを表し、０ｂ１０に設定されると、当該ＢＡ  Ａ−ＭＡＰ  ＩＥがマルチキャスト割当情報を含むことを表す。
【０１０２】
すなわち、機能インデックスの設定値によって、ＢＡ  Ａ−ＭＡＰ  ＩＥはブロードキャスト送信及び／又はマルチキャスト送信のためのリソース割当情報（例えば、バーストサイズ（Ｂｕｒｓｔ  ｓｉｚｅ）フィールド、リソースインデックス（Ｒｅｓｏｒｕｃｅ  Ｉｎｄｅｘ）フィールド、ロングＴＴＩ指示子（Ｌｏｎｇ  ＴＴＩ  Ｉｎｄｉｃａｔｏｒ）フィールド、送信フォーマット（Ｔｒａｎｓｍｉｓｓｉｏｎ  ｆｏｒｍａｔ）フィールド、マルチキャストグループ識別子（Ｍｕｌｔｉｃａｓｔ  Ｇｒｏｕｐ  ＩＤ）フィールドのうち一つ以上）を更に含むことができる。
【０１０３】
表２のＢＡ  Ａ−ＭＡＰ  ＩＥに適用される１６ビットＣＲＣは、ＢＡ  Ａ−ＭＡＰ  ＩＥに含まれた内容（ｃｏｎｔｅｎｔｓ）によって生成される。ＣＲＣは、下記の表３によって生成される１６ビットＣＲＣで、ＢＡ  Ａ−ＭＡＰ  ＩＥにマスクされる。
【０１０４】
【表３】
0006055840.tif 000006
【０１０５】
表３を参照すると、マスキングプレフィックスは、１６ビットのＣＲＣの中で最上位１ビットを使用し、メッセージタイプ指示子（Ｔｙｐｅ  Ｉｎｄｉｃａｔｏｒ）は３ビットを、マスキングコードはタイプ指示子によって１２ビットを使用する。例えば、タイプ指示子が０ｂ０００に設定されると、マスキングコードは１２ビットのステーション識別子（ＳＴＩＤ：Ｓｔａｔｉｏｎ  Ｉｄｅｎｔｉｆｉｅｒ）又は臨時ステーション識別子（ＴＳＴＩＤ：Ｔｅｍｐｏｒａｒｙ  ＳＴＩＤ）を使用する。また、タイプ指示子が０ｂ００１に設定されると、下記の表４で指示する値を使用する。
【０１０６】
表４は、表３のマスキングプレフィックス（Ｍａｓｋｉｎｇ  Ｐｒｅｆｉｘ）が０ｂ０であり、タイプ指示子（Ｔｙｐｅ  ｉｎｄｉｃａｔｏｒ）が０ｂ００１であるとき、Ｍ２Ｍ放送のためのマスキングコードの例を示すものである。
【０１０７】
【表４】
0006055840.tif 000007
【０１０８】
表４を参照すると、各割当Ａ−ＭＡＰ  ＩＥによって使用されるマスキングコードが十進値で表示されている。
【０１０９】
再び表２及び表３を参照すると、ＢＡ  Ａ−ＭＡＰ  ＩＥの機能インデックスが０ｂ００又は０ｂ０１に設定されると、マスキングプレフィックス（Ｍａｓｋｉｎｇ  Ｐｒｅｆｉｘ）は０ｂ０であり、且つメッセージタイプ指示子（Ｔｙｐｅ  ｉｎｄｉｃａｔｏｒ）は０ｂ００１である１６ビットＣＲＣがＢＡ  Ａ−ＭＡＰ  ＩＥにマスクされる。仮に、機能インデックスが０ｂ１０に設定されると、表３のマスキングプレフィックスは０ｂ０であり、且つメッセージタイプ指示子は０ｂ０１０である１６ビットＣＲＣがＢＡ  Ａ−ＭＡＰ  ＩＥにマスクされる。
【０１１０】
表２で、マルチキャストグループ識別子（ＭＧＩＤ：Ｍｕｌｔｉｃａｓｔ  Ｇｒｏｕｐ  ＩＤ）は、マルチキャストバーストを受信するグループの識別子であり、基地局（ＡＢＳ）において固有の値である。ＭＧＩＤは、ＤＳＡ過程（ＤＳＡ−ＲＥＱ／ＲＳＰメッセージ）によって割り当て、ＤＳＣ過程（ＤＳＣ−ＲＥＱ／ＲＳＰ）によって変更することができる。
【０１１１】
ＢＡ  Ａ−ＭＡＰ  ＩＥによって送信されるブロードキャスト及びマルチキャストバーストは、ＭＩＭＯエンコーダフォーマットとしてＳＦＢＣ及び変調方式としてＱＰＳＫを用いて送信する。ただし、トラフィック指示メッセージ（ＡＡＩ−ＴＲＦ−ＩＮＤ）、ページングメッセージ（ＡＡＩ−ＰＡＧ−ＡＤＶ）、及びページング情報メッセージ（ＰＧ＿Ｉｎｆｏ）は時間領域反復で送信しない。他のブロードキャストＭＡＣ制御メッセージは、時間領域反復で送信することができる。時間領域反復の周期は１フレームである。
【０１１２】
ブロードキャストバーストが反復的に送信されるその周期において、他のブロードキャストバーストは時間領域反復無しでのみ送信することができる。時間領域反復によって、送信各ブロードキャストバースト送信に対して、ＡＢＳは、送信の都度残りの反復回数値が１ずつ減るＢＡ  Ａ−ＭＡＰ  ＩＥを送信する。すなわち、ＡＢＳが、残りの反復回数値がＮ−１であるとき、ｋ番目のフレームで最初の送信を行うとすれば、その送信はｋ＋Ｎ−１番目のフレームで完了する。また、反復フィールドの値は送信の都度１ずつ減る。
【０１１３】
ＢＡ  Ａ−ＭＡＰ  ＩＥの他のフィールドの中でリソースインデックスフィールドのみが、時間領域反復が行われる周期において変更される。ブロードキャストバースト送信に対してＳＰＩＤは常に０に設定される。ロングＴＴＩ指示子フィールド及び送信フォーマットフィールドが１に設定されると、ブロードキャストバーストは、スーパーフレームヘッダ（ＳＦＨ：Ｓｕｐｅｒ  Ｆｒａｍｅ  Ｈｅａｄｅｒ）が送信されるフレームでは割り当てられない。
【０１１４】
（２）Ｍ２Ｍマルチキャスト割当Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）
【０１１５】
基地局は、Ｍ２ＭマルチキャストデータをＭ２Ｍ機器に送信するために、Ｍ２Ｍマルチキャストデータに対して割り当てられたリソース領域に関する情報を、Ｍ２Ｍ機器にあらかじめ知らせることができる。したがって、基地局は、リソース割当情報を含むＭ２Ｍ  ＭＡ  Ａ−ＭＡＰ  ＩＥ（Ｍ２Ｍ  Ｍｕｌｔｉｃａｓｔ  Ａｓｓｉｇｎｍｅｎｔ  Ａ−ＭＡＰ  ＩＥ）をＭ２Ｍ機器に送信することができる。本発明の実施例で、Ｍ２Ｍ  ＭＡ  Ａ−ＭＡＰ  ＩＥをＭ２Ｍグループ割当Ａ−ＭＡＰ  ＩＥ（Ｍ２Ｍ  Ｇｒｏｕｐ  Ａｓｓｉｇｎｍｅｎｔ  Ａ−ＭＡＰ  ＩＥ）と呼ぶこともできる。
【０１１６】
下記の表５は、本発明の実施例で用いられるＭ２Ｍ  ＭＡ  Ａ−ＭＡＰ  ＩＥメッセージフォーマットの一例を表すものである。
【０１１７】
【表５】
0006055840.tif 000008
【０１１８】
表５を参照すると、Ｍ２Ｍ  ＭＡ  Ａ−ＭＡＰ  ＩＥメッセージは、当該ＩＥがＭ２Ｍ  ＭＡ  Ａ−ＭＡＰ  ＩＥであることを表すＡ−ＭＡＰ  ＩＥタイプフィールド、マルチキャストデータが送信される割当領域に関するリソース割当情報、及びＭＧＩＤの属するＭ２Ｍグループ領域識別子に相応するＭ２Ｍグループ領域インデックスを含むことができる。このとき、リソース割当情報は、当該割当領域の大きさを表すバーストサイズフィールド、リソースインデックスフィールド及びロングＴＴＩ指示子フィールドを含むことができる。このとき、Ｍ２Ｍ  ＭＡ  Ａ−ＭＡＰ  ＩＥにマスクされる１６ビットＣＲＣは、０ｂ０に設定されたマスキングプレフィックス、０ｂ１００に設定されたタイプ指示子フィールド、及び１２ビットのＭＧＩＤを含むことができる。
【０１１９】
（３）Ｍ２Ｍ機器グループＭＡＣ制御（ＡＡＩ−ＭＧＭＣ）メッセージ
【０１２０】
以下では、本発明の実施例で用いることができるＡＡＩ−ＭＧＭＣ（Ｍ２Ｍ  ｄｅｖｉｃｅ  Ｇｒｏｕｐ  ＭＡＣ  Ｃｏｎｔｒｏｌ）メッセージについて説明する。
【０１２１】
ＡＡＩ−ＭＧＭＣメッセージは、同一のＭ２Ｍ機器グループ（ＭＧＩＤによって定義される）に属している端末（すなわち、Ｍ２Ｍ機器）のグループにパラメータ及び／又は指示を伝達するために送信される。ＡＢＳは、遊休モードではなく接続状態の端末にＡＡＩ−ＭＧＭＣメッセージをブロードキャスト方式又はマルチキャスト方式で送信する。
【０１２２】
下記の表６は、ＭＡＣ制御メッセージの一例を表すものである。
【０１２３】
【表６】
0006055840.tif 000009
【０１２４】
下記の表７は、ＡＡＩ−ＭＧＭＣメッセージフォーマットの一例を表すものである。
【０１２５】
【表７】
0006055840.tif 000010
【０１２６】
基地局は、複数の端末（Ｍ２Ｍ機器）に関する情報を送信するために、ＭＧＩＤを含むＡＡＩ−ＭＧＭＣメッセージを使用する。ＡＡＩ−ＭＧＭＣメッセージがブロードキャスト方式で送信される場合、ＡＡＩ−ＭＧＭＣメッセージを同伴する物理層（ＰＨＹ）バーストはＢＡ  Ａ−ＭＡＰ  ＩＥに基づいて送信される。
【０１２７】
仮に、ＡＡＩ−ＭＧＭＣメッセージが一つのＭ２Ｍ機器グループに関する制御情報を同伴し、マルチキャストＳＡ（Ｓｅｃｕｒｉｔｙ  Ａｓｓｏｃｉａｔｉｏｎ）が当該Ｍ２Ｍ機器グループに設定された場合、ＡＡＩ−ＭＧＭＣメッセージは当該マルチキャストＳＡを用いて暗号化される。
【０１２８】
ＡＡＩ−ＭＧＭＣメッセージがマルチキャスト方式で送信される場合、一つのＭ２Ｍ機器グループに関するＡＡＩ−ＭＧＭＣメッセージを同伴する媒体接続制御プロトコルデータユニット（ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）を含むＰＨＹバーストは、Ｍ２Ｍグループ割当Ａ−ＭＡＰ  ＩＥによって指示される。このとき、暗号化されたり暗号化されていないＡＡＩ−ＭＧＭＣメッセージを同伴するＭＡＣ  ＰＤＵのＦＩＤは０又は１にそれぞれ設定される。端末は、ＡＡＩ−ＭＧＭＣメッセージに対する応答としてＡＡＩ−ＭＳＧ−ＡＣＫメッセージを基地局に送信する。
【０１２９】
（４）マルチキャスト送信終了指示（ＡＡＩ−ＭＴＥ−ＩＮＤ）メッセージ
【０１３０】
以下では、本発明の実施例で用いることができるマルチキャスト送信終了指示（ＡＡＩ−ＭＴＥ−ＩＮＤ：Ｍｕｌｔｉｃａｓｔ  Ｔｒａｎｓｍｉｓｓｉｏｎ  Ｅｎｄ  Ｉｎｄｉｃａｔｉｏｎ）メッセージについて説明する。
【０１３１】
基地局は、遊休モード状態の端末にマルチキャストメッセージを送信する途中に、端末（Ｍ２Ｍ機器）に送信するマルチキャストメッセージがない場合にはＭＧＩＤを用いてＡＡＩ−ＭＴＥ−ＩＮＤメッセージをブロードキャスト方式又はマルチキャスト方式で端末に送信する。遊休モード状態の端末がＡＡＩ−ＭＴＥ−ＩＮＤメッセージを受信すると、該端末はページング不可区間に再び進入する。
【０１３２】
下記の表８は、本発明の実施例で用いられるＡＡＩ−ＭＴＥ−ＩＮＤメッセージフォーマットの一例を表すものである。
【０１３３】
【表８】
0006055840.tif 000011
【０１３４】
表８を参照すると、ＡＡＩ−ＭＴＥ−ＩＮＤメッセージは、該当のマルチキャストトラフィックを指示するＭＧＩＤフィールド、及び当該ＭＧＩＤの属したＭ２Ｍグループゾーン識別子に相応するＭ２Ｍグループゾーンインデックスを含む。ＡＡＩ−ＭＴＥ−ＩＮＤメッセージがブロードキャスト方式で送信される場合、ＡＡＩ−ＭＴＥ−ＩＮＤメッセージを同伴する物理層（ＰＨＹ）バーストは、ＢＡ  Ａ−ＭＡＰ  ＩＥに基づいて送信される。
【０１３５】
仮に、ＡＡＩ−ＭＴＥ−ＩＮＤメッセージが一つのＭ２Ｍ機器グループに関する制御情報を同伴し、マルチキャストＳＡ（Ｓｅｃｕｒｉｔｙ  Ａｓｓｏｃｉａｔｉｏｎ）が当該Ｍ２Ｍ機器グループに設定された場合、ＡＡＩ−ＭＴＥ−ＩＮＤメッセージは当該マルチキャストＳＡを用いて暗号化される。
【０１３６】
ＡＡＩ−ＭＴＥ−ＩＮＤメッセージがマルチキャスト方式で送信される場合、一つのＭ２Ｍ機器グループに関するＡＡＩ−ＭＴＥ−ＩＮＤメッセージを同伴する媒体接続制御プロトコルデータユニット（ＭＡＣ  ＰＤＵ）は、Ｍ２Ｍグループ割当Ａ−ＭＡＰ  ＩＥによって指示され、暗号化されたり暗号化されていないＡＡＩ−ＭＴＥ−ＩＮＤメッセージを同伴するＭＡＣ  ＰＤＵのＦＩＤは、０又は１にそれぞれ設定される。遊休モード状態にある端末がＡＡＩ−ＭＴＥ−ＩＮＤメッセージを受信すると、当該端末はページング不可区間に進入することができる。
【０１３７】
６．Ｍ２Ｍ機器に対するマルチキャスト動作
【０１３８】
（１）マルチキャスト動作一般
【０１３９】
基地局（ＡＢＳ）においてＭ２Ｍ機器に対するマルチキャストサービスは、Ｍ２Ｍ機器グループに属したＭ２Ｍ機器に対するＤＬデータの同時送信をＭＧＩＤを用いてサポートする。マルチキャストサービスはＡＢＳと関連し、ダウンリンクでのみ提供される。各マルチキャスト接続は、当該サービスフローに対するＱｏＳ及びトラフィックパラメータと共に提供される。マルチキャストデータを同伴するサービスフローは、接続状態において当該サービスに参加する個別Ｍ２Ｍ機器に開示される。このとき、Ｍ２Ｍ機器は、サービスに関連したサービスフローを識別するパラメータを獲得する。
【０１４０】
同一のＭＧＩＤは、同一のマルチキャストサービスに参加するＭ２Ｍ機器のグループに割り当てられ、ＤＳＡ過程で割り当てられる。マルチキャストサービスに接続する目的で、ＭＧＩＤの割り当てられたＭ２Ｍ機器は、Ｍ２Ｍグループ割当Ａ−ＭＡＰ  ＩＥ（Ｍ２ＭＧｒｏｕｐ  Ａｓｓｉｇｎｍｅｎｔ  Ａ−ＭＡＰ  ＩＥ）をデコードするために、０ｂ０に設定されたマスキングプレフィックス、０ｂ０１０に設定されたメッセージタイプ指示子、及び１２ビットのＭＧＩＤを含む１６ビットＣＲＣマスクを適用すればよい。Ｍ２Ｍ機器は、Ｍ２Ｍマルチキャスト割当Ａ−ＭＡＰ  ＩＥ（Ｍ２Ｍ  ＭＡ  Ａ−ＭＡＰ  ＩＥ）からマルチキャストバーストに関するリソース割当情報を獲得する。このとき、マルチキャストサービスフローに対するＭＡＣ  ＳＤＵを同伴するＭＡＣ  ＰＤＵ（マルチキャストバーストに含まれた）のＭＡＣヘッダのＦＩＤフィールドは「０１００」に設定される。ＭＡＣ  ＰＤＵはＭＡＣ層で用いられる送信単位であり、ＭＡＣ  ＰＤＵは、物理（ＰＨＹ）層で送信される場合、マルチキャストバーストの形態で送信される。
【０１４１】
基地局は、各Ｍ２Ｍ機器とマルチキャスト接続を形成することによって、当該サービスに関連したＤＬマルチキャストサービスを設定する。本発明の実施例ではいかなるＦＩＤがマルチキャストサービスのために用いられてもよい。すなわち、マルチキャスト送信接続に対する専用ＦＩＤは設定されなくてもよい。マルチキャスト接続はＤＳＡ過程によって割り当てられたＭＧＩＤ及びＦＩＤの組合せを用いて設定される。マルチキャスト接続がサービスフローに関連するため、マルチキャスト接続は、サービスフローのＱｏＳ及びトラフィックパラメータと関連する。マルチキャスト接続に対して、自動再送信要求（ＡＲＱ：Ａｕｔｏｍａｔｉｃ  Ｒｅｔｒａｎｓｍｉｓｓｉｏｎ  ｒｅＱｕｅｓｔ）は適用されないが、当該マルチキャストトラフィックに対する完全性保護及び暗号化を保障するために一般暗号化キーが用いられる。
【０１４２】
（２）遊休モードでのＭ２Ｍマルチキャスト動作
【０１４３】
Ｍ２Ｍ基地局は、遊休モードにあるＭ２Ｍ端末にネットワーク再進入を要請したり要請しない状態でマルチキャストサービスを提供することができる。基地局がダウンリンク（ＤＬ）マルチキャストデータを送信する前に、基地局は、マルチキャストトラフィック指示を含むページングメッセージをページング聴取区間でＭ２Ｍ端末に送信することができる。仮に、Ｍ２Ｍ機器がネットワーク再進入無しでマルチキャストトラフィックを受信するように指示するページングメッセージを受信し、当該ページングメッセージがマルチキャスト送信開始時間（Ｍｕｌｔｉｃａｓｔ  Ｔｒａｎｓｍｉｓｓｉｏｎ  Ｓｔａｒｔ  Ｔｉｍｅ）に関する情報を含んでいないと、当該Ｍ２Ｍ機器は遊休モードを終了することなくＤＬマルチキャストデータの受信を始める。
【０１４４】
ページングメッセージに含まれるマルチキャスト送信開始時間は、基地局が送信するＤＬマルチキャストデータが送信される時点を指示する。マルチキャスト送信開始時間値は、ページングメッセージ（例えば、ＡＡＩ−ＰＡＧ−ＡＤＶ）を受信したＭ２Ｍ機器の次のページング聴取区間の開始時間よりも小さくなっていなければならない。Ｍ２Ｍ機器は、ページングメッセージに含まれたマルチキャスト送信開始時間によって指示されたフレームまで電力を切っておくことができる。マルチキャストデータ送信が終了すると、基地局はＡＡＩ−ＭＴＥ−ＩＮＤメッセージを当該Ｍ２Ｍ機器に送信する。Ｍ２Ｍ機器はＡＡＩ−ＭＴＥ−ＩＮＤメッセージを受信すると直ちにページング不可区間に進入することができる。
【０１４５】
７．ＭＡＣ制御メッセージマルチキャスト方法
【０１４６】
上述したように、Ｍ２Ｍマルチキャストサービスにおいてマルチキャストトラフィックの終了を知らせるために送信するメッセージであるＡＡＩ−ＭＴＥ−ＩＮＤメッセージが定義され、同一のグループに属した端末に同時にＭ２ＭＣＩＤをアップデートするためにＡＡＩ−ＭＧＭＣメッセージが定義される。ＭＡＣ制御メッセージとしてＡＡＩ−ＭＴＥ−ＩＮＤメッセージ及びＡＡＩ−ＭＧＭＣメッセージは、基地局でブロードキャスト方式又はマルチキャスト方式によって送信することができる。
【０１４７】
ＭＡＣ制御メッセージに対する送信領域に関する情報を含む既存のＢＡ  Ａ−ＭＡＰ  ＩＥのＣＲＣは、マスキングプレフィックスが「０」に設定され、タイプ指示子が「０ｂ００１」に設定され、マスキングコードが「０」に設定された１６ビットＣＲＣマスクによってマスクされる。この時、ＢＡ  Ａ−ＭＡＰ  ＩＥの機能インデックスは「０ｂ００」に設定されていた。すなわち、既存に送信されるメッセージは、Ｍ２Ｍ機器及び一般端末の区別はなく、マルチキャスト又はブロードキャストの区別しか存在しなかった。
【０１４８】
このようにＡＡＩ−ＭＴＥ−ＩＮＤメッセージやＡＡＩ−ＭＧＭＣメッセージがブロードキャスト方式で送信されると、Ｍ２Ｍ端末だけでなく、既存の一般端末（ＡＭＳとＭＳ／ＳＳ）もＭ２Ｍのための放送メッセージをデコードすることになるが、これは、既存端末の不必要なブロードキャストバーストデコードのオーバーヘッドを増加させることがある。
【０１４９】
また、Ｍ２Ｍ機器に対して送信されるＭＡＣ制御メッセージは放送形態で送信されるため、Ｍ２Ｍ機器にとっても、ＭＡＣ制御メッセージ（例えば、ＡＡＩ−ＭＴＥ−ＩＮＤ、ＡＡＩ−ＭＧＭＣ）が当該Ｍ２Ｍ機器の属したＭ２Ｍグループに対するメッセージでない場合にもＡＡＩ−ＭＴＥ−ＩＮＤメッセージに関するバーストをデコードした後、ＭＡＣ制御メッセージに含まれたＭＧＩＤを確認し、自身のＭ２Ｍグループに属するものか否かを確認する過程を行わなければならない。
【０１５０】
そのため、基地局がＭＡＣ制御メッセージを送信する時点に当該メッセージに一つのＭ２Ｍグループに関する情報のみが含まれている場合、当該グループに属していない他のＭ２Ｍ機器及び一般端末は不必要なＭＡＣ制御メッセージを受信しなければならないという不具合が発生する。
【０１５１】
また、ＭＡＣ制御メッセージを送信するために、既存のマルチキャストデータ（すなわち、マルチキャストバースト）がＭ２Ｍ  ＭＡ  Ａ−ＭＡＰ  ＩＥで送信される時に使用した固定したＦＩＤ（例えば、０ｂ０１００）を使用すると、一般端末は、該当の媒体接続制御プロトコルデータユニット（ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ）がマルチキャストデータであるか又はＭ２Ｍ特定ＭＡＣ制御メッセージであるかを区別できなくなる。したがって、一般端末はＭ２Ｍ特定ＭＡＣ制御メッセージを一般マルチキャストデータとして処理する誤動作をすることがある。
【０１５２】
そこで、以下では、本発明の実施例として、一般端末の不必要なバーストデコードオーバーヘッドを減らし、Ｍ２Ｍ機器の不必要なデコード過程を減らすために、ＭＡＣ制御メッセージをマルチキャスト方式で送信する様々な方法について詳しく説明する。
【０１５３】
図３は、本発明の実施例として、ＭＡＣ制御メッセージをマルチキャスト形式で送信する方法の一つを示す図である。
【０１５４】
Ｍ２Ｍ機器は、基地局（ＡＢＳ）と初期ネットワーク進入過程を行うことができる。初期ネットワーク進入過程として、初期レンジング過程（ＡＡＩ−ＲＮＧ−ＲＥＱ／ＲＳＰ）、機器基本性能交渉過程（ＡＡＩ−ＳＢＣ−ＲＥＱ／ＲＳＰ）、及びネットワーク登録過程（ＡＡＩ−ＲＥＧ−ＲＥＱ／ＲＳＰ）を行うことができる（Ｓ３０１）。
【０１５５】
初期ネットワーク進入過程を行ったＭ２Ｍ機器は、特定サービスの提供を受けるために基地局とサービスフローを生成する過程を行うことができる。例えば、Ｍ２Ｍ機器は基地局と動的サービス追加過程（ＤＳＡ  ｐｒｏｃｅｓｓ）を行うことができる。この時、基地局はＤＳＡ過程によってＭ２Ｍ機器にマルチキャストデータを送信する必要がある場合、マルチキャストグループ識別子（ＭＧＩＤ）を割り当てることができる（Ｓ３０３）。
【０１５６】
以降、Ｍ２Ｍ機器は基地局に送信するデータや受信するデータがないと、遊休モードに進入するために登録解除要請（ＤＲＥＧ−ＲＥＱ）メッセージを送信する（Ｓ３０５）。
【０１５７】
また、基地局は登録解除要請メッセージに対する応答として、ページング周期、ページングオフセットなどのページング情報を含む登録解除応答（ＤＲＥＧ−ＲＳＰ）メッセージをＭ２Ｍ機器に送信することができる。詳細な遊休モード動作については、第１節の遊休モードに関する説明、及び図２を参照すればよい（Ｓ３０７）。
【０１５８】
Ｍ２Ｍ機器は、ＤＲＥＧ−ＲＳＰメッセージを受信して遊休モードに進入し、ページング聴取区間（ＰＬＩ：Ｐａｇｉｎｇ  Ｌｉｓｔｅｎｉｎｇ  Ｉｎｔｅｒｖａｌ）において基地局からページングメッセージ（例、ＰＡＧ−ＡＤＶ）メッセージを受信することができる。このとき、ページングメッセージ（例、ＡＡＩ−ＰＡＧ−ＡＤＶ）は、マルチキャストトラフィック送信を指示するマルチキャストトラフィック指示子（例えば、Ａｃｔｉｏｎ  ｃｏｄｅ＝０ｂ１０）、マルチキャストトラフィック（又は、マルチキャストデータ）を受信するＭ２Ｍグループに関する情報（例えば、Ｍ２ＭグループＩＤ）、及びマルチキャストトラフィックの送信される開始時点に関する情報（ＭＴＳＴ：Ｍｕｌｔｉｃａｓｔ  Ｔｒａｆｆｉｃ  Ｓｔａｒｔ  Ｔｉｍｅ）を含むことができる（Ｓ３０９）。
【０１５９】
このとき、Ｍ２Ｍ機器が受信したＭ２ＭグループＩＤ（ＭＧＩＤ）が当該Ｍ２Ｍ機器の属したＭ２Ｍグループを表し、ページングメッセージの動作コード（すなわち、マルチキャストトラフィック指示子）が０ｂ１０に設定されていると、Ｍ２Ｍ機器のプロセッサ１２０は、Ｍ２Ｍ機器がネットワーク再進入無しでマルチキャストデータ（トラフィック）を受信するために待機するように制御すればよい。
【０１６０】
したがって、Ｍ２Ｍ機器は、ＭＴＳＴが指示した時点でマルチキャストデータが送信されるリソース領域を表すリソース割当情報を含むＭ２Ｍマルチキャスト割当Ａ−ＭＡＰ情報要素（Ｍ２Ｍ  ＭＡ  Ａ−ＭＡＰ  ＩＥ）を受信する。この時、Ｍ２Ｍ  ＭＡ  Ａ−ＭＡＰ  ＩＥは、Ｍ２Ｍ機器に送信するマルチキャストデータに対するＭＧＩＤがＣＲＣマスクされて送信される（Ｓ３１１，Ｓ３１５）。
【０１６１】
続いて、Ｍ２Ｍ機器は、Ｍ２Ｍ  ＭＡ  Ａ−ＭＡＰ  ＩＥに含まれたリソース割当情報が表すリソース領域を通じてマルチキャストデータを受信することができる。この時、マルチキャストデータが送信されるＭＡＣ  ＰＤＵのＭＡＣヘッダは、当該マルチキャストデータの送信を表すＦＩＤを含むことができる。この時、ＦＩＤは０ｂ０１００に設定される（表１参照）（Ｓ３１３，Ｓ３１７）。
【０１６２】
基地局は、最後のマルチキャストデータをＭ２Ｍ機器に送信した後、マルチキャストデータ送信終了指示をＭ２Ｍ機器に行うことが好ましい。そのために、基地局は、マルチキャストデータ送信終了を指示するためのＡＡＩ−ＭＴＥ−ＩＮＤメッセージを送信することができる（Ｓ３１９）。
【０１６３】
この時、Ｍ２Ｍ  ＭＡ  Ａ−ＭＡＰ  ＩＥは、ＡＡＩ−ＭＴＥ−ＩＮＤメッセージを送信するためのリソース領域を表すリソース割当情報を含むことができる（表５参照）。また、基地局は、マルチキャストデータ（Ｓ３１３，Ｓ３１７）が送信されたＭ２Ｍグループに属したＭ２Ｍ機器にのみＭ２Ｍ  ＭＡ  Ａ−ＭＡＰ  ＩＥを送信するために、ＭＧＩＤを含むＣＲＣをＭ２Ｍ  ＭＡ  Ａ−ＭＡＰ  ＩＥにマスクすることができる。
【０１６４】
下記の表９は、本発明のＭ２Ｍ  ＭＡ  Ａ−ＭＡＰ  ＩＥで適用されるＣＲＣマスク構造の一例を表すものである。
【０１６５】
【表９】
0006055840.tif 000012
【０１６６】
表９を参照すると、マスキングプレフィックスは、１６ビットのＣＲＣの中で最上位１ビットを使用し、メッセージタイプ指示子（Ｔｙｐｅ  Ｉｎｄｉｃａｔｏｒ）は３ビットを、マスキングコードはタイプ指示子によって１２ビットを使用する。例えば、タイプ指示子が０ｂ０００に設定されると、マスキングコードは１２ビットのステーション識別子（ＳＴＩＤ：Ｓｔａｔｉｏｎ  Ｉｄｅｎｔｉｆｉｅｒ）又は臨時ステーション識別子（ＴＳＴＩＤ：Ｔｅｍｐｏｒａｒｙ  ＳＴＩＤ）を使用する。
【０１６７】
ただし、本発明の実施例では、マルチキャスト送信領域を割り当てるために用いられるＭ２Ｍ  ＭＡ  Ａ−ＭＡＰ  ＩＥのために新しいタイプ指示子「０ｂ１００」を使用することができる。すなわち、ＣＲＣマスクのタイプ指示子が０ｂ１００に設定されると、マスキングコードとしては該当のＭ２Ｍグループ識別子が用いられる。
【０１６８】
したがって、再び図３を参照すると、Ｓ３１９段階で、Ｍ２Ｍ  ＭＡ  Ａ−ＭＡＰ  ＩＥは、０ｂ０に設定されたマスキングプレフィックス、０ｂ１００に設定されたタイプ指示子、及びＳ３１３段階乃至Ｓ３１７段階で送信したマルチキャストデータに該当するＭＧＩＤであるマスキングコードを含む１６ビットＣＲＣでマスクすることができる。
【０１６９】
図３では一つのＭ２Ｍ機器のみを示した。ただし、これは実施例を容易に説明するための例示に過ぎず、基地局の領域には複数のＭ２Ｍ機器が属していてもよい。
【０１７０】
したがって、Ｍ２Ｍ機器はＭ２Ｍ  ＭＡ  Ａ−ＭＡＰ  ＩＥをデマスクし、当該Ｍ２Ｍ  ＭＡ  Ａ−ＭＡＰ  ＩＥにマスクされたＭＧＩＤを持つＭ２Ｍ機器のみが、Ｓ３１９段階で送信されるＭ２Ｍ  ＭＡ  Ａ−ＭＡＰ  ＩＥを受信及びデコードすることができる。
【０１７１】
図３のＭ２Ｍ機器がＳ３１９段階で送信されたＭ２Ｍ  ＭＡ  Ａ−ＭＡＰ  ＩＥを正常に受信すると、Ｍ２Ｍ機器は、Ｍ２Ｍ  ＭＡ  Ａ−ＭＡＰ  ＩＥに含まれたリソース割当情報が表すリソース領域を通じて、マルチキャストデータ送信終了を表すＭＡＣ制御メッセージ（すなわち、ＡＡＩ−ＭＴＥ−ＩＮＤ）メッセージを受信することができる（Ｓ３２１）。
【０１７２】
ここで、Ｓ３２１段階で送信されるＡＡＩ−ＭＴＥ−ＩＮＤメッセージはＭＡＣ制御メッセージであるため、当該メッセージのＭＡＣヘッダ（例えば、ＡＧＭＨ）に含まれるフロー識別子（ＦＩＤ）は制御ＦＩＤの中から選択しなければならない。下記の表１０は、本発明で用いることができるマルチキャスト制御ＦＩＤの一例を表すものである。
【０１７３】
【表１０】
0006055840.tif 000013
【０１７４】
表１０を参照すると、制御ＦＩＤとしては、ＦＩＤ値が「００００」である場合と「０００１」である場合がある。このとき、「０００１」のＦＩＤをマルチキャストデータ送信のために用いることができる。すなわち、ＦＩＤ値が「００００」の場合は表１と同一であるが、「０００１」の場合にはＦＩＤをユニキャスト制御又はマルチキャスト制御のために用いることができる。すなわち、マルチキャスト制御ＦＩＤである「０００１」は、マルチキャストＭＡＣ制御メッセージに用いることができ、ＭＡＣ  ＰＤＵに含まれる制御接続ペイロードが暗号化されることを表す。
【０１７５】
下記の表１１は、本発明で用いることができるマルチキャスト制御ＦＩＤの他の例を表すものである。
【０１７６】
【表１１】
0006055840.tif 000014
【０１７７】
表１１で新しく定義したマルチキャスト制御ＦＩＤは、当該ＭＡＣ  ＰＤＵがマルチキャスト制御メッセージであることを表し、当該ＭＡＣ  ＰＤＵに含まれるペイロードが暗号化されるか否かを表すことができる。表１１を参照すると、マルチキャスト制御ＦＩＤ値「００００」は、ＭＡＣ  ＰＤＵに暗号化されないペイロードが含まれる場合を表すために用いられ、「０００１」は、ＭＡＣ  ＰＤＵに暗号化されるペイロードが含まれる場合を表すために用いられる。すなわち、表１１で用いられるマルチキャスト制御ＦＩＤは、Ｍ２Ｍ  ＭＡ  Ａ−ＭＡＰ  ＩＥによって割り当てられたリソース領域を通じて送信されるＭＡＣ制御メッセージを識別するために用いられる。
【０１７８】
したがって、一般マルチキャストデータに対してはＦＩＤとして０ｂ０１００の値が用いられるが（Ｓ３１３段階又はＳ３１７段階を参照）、マルチキャストＭＡＣ制御メッセージに対してはＦＩＤとして０ｂ００００又は０ｂ０００１の値が用いられる。例えば、Ｓ３２１段階で、ＭＡＣ制御メッセージであるＡＡＩ−ＭＴＥ−ＩＮＤがＭＡＣ層ではＭＡＣ  ＰＤＵに含まれて送信される。すなわち、ＡＡＩ−ＭＴＥ−ＩＮＤは、ＭＡＣ  ＰＤＵのペイロードに含まれ、当該ペイロードが暗号化されるか否かによって、表１１で開示したＦＩＤ値「００００」又は「０００１」が用いられればよい。
【０１７９】
したがって、Ｍ２Ｍ機器がＭ２Ｍ  ＭＡ  Ａ−ＭＡＰ  ＩＥによって割り当てられたリソース領域を通じてマルチキャスト形式でＭＡＣ  ＰＤＵを受信する場合、ＭＡＣ  ＰＤＵ内のＭＡＣヘッダ（すなわち、ＡＧＭＨ）のＦＩＤフィールドが０ｂ０００１に設定されていると、当該ＭＡＣ  ＰＤＵが暗号化されたＭＡＣ制御メッセージを含んでいると判断すればよい。また、ＭＡＣ  ＰＤＵのＦＩＤフィールドが０ｂ００００に設定されていると、当該ＭＡＣ  ＰＤＵのペイロードが暗号化されていないＭＡＣ制御メッセージを含んでいると判断すればよい。したがって、Ｍ２Ｍ機器は、ＦＩＤから、当該ＭＡＣ  ＰＤＵがＭ２Ｍ機器のためのマルチキャストバーストであるか否か、及びＭＡＣ  ＰＤＵに含まれたＭＡＣ制御メッセージが暗号化されたか否かを確認することができる。
【０１８０】
Ｓ３２１段階で、Ｍ２Ｍ機器が、マルチキャストデータ送信が終了したことを知らせるＡＡＩ−ＭＴＥ−ＩＮＤメッセージを受信すると、Ｍ２Ｍ機器のプロセッサ１２０は、Ｍ２Ｍ機器が利用不可区間に入るように制御する。
【０１８１】
図４は、本発明の実施例として、ＭＡＣ制御メッセージをマルチキャスト形式で送信する方法の他の例を示す図である。
【０１８２】
Ｓ４０１段階乃至Ｓ４１１段階は、Ｓ３０１段階乃至Ｓ３１７段階と略同様である。したがって、図４のＳ４０１段階乃至Ｓ４１１段階に関する説明は、図３の説明に代えるものとする。ただし、図４で、Ｍ２Ｍ機器は現在の一般モード状態にあるため、図３のＳ３０５段階、Ｓ３０７段階は省かれる。すなわち、Ｍ２Ｍ機器は遊休モード動作を行わず、基地局に接続状態（Ｃｏｎｎｅｃｔｅｄ  Ｓｔａｔｅ）にある。
【０１８３】
基地局がＭ２Ｍ機器にマルチキャストデータを送信した後、マルチキャストグループ識別子を更新する必要が発生することがある（Ｓ４１３）。
【０１８４】
この場合、基地局は、更新したＭＧＩＤを当該マルチキャストグループに属したＭ２Ｍ機器に送信するために、更新した新しいＭＧＩＤを含むＡＡＩ−ＭＧＭＣメッセージをＭ２Ｍ機器に送信しなければならない。そのために、基地局は、Ｍ２Ｍ機器に対するマルチキャストＭＡＣ制御メッセージ（すなわち、ＡＡＩ−ＭＧＭＣ）を送信するためのリソース領域を表すリソース割当情報を含むＭ２Ｍ  ＭＡ  Ａ−ＭＡＰ  ＩＥをＭ２Ｍ機器に送信すればよい（Ｓ４１５）。
【０１８５】
Ｓ４１５段階で、Ｍ２Ｍ  ＭＡ  Ａ−ＭＡＰ  ＩＥは、表５で説明したフォーマットを有することができ、表９で説明したマスキングコードを含む１６ビットＣＲＣでマスクすることができる。例えば、１６ビットＣＲＣのマスキングプレフィックスは０ｂ０に設定し、タイプ指示子は０ｂ１００に設定し、マスキングコードは、Ｍ２Ｍ端末の属したＭ２Ｍグループ識別子（ＭＧＩＤ）に設定することができる。
【０１８６】
接続状態でＳ４１５段階のＭ２Ｍ  ＭＡ  Ａ−ＭＡＰ  ＩＥを受信したＭ２Ｍ端末は、ＣＲＣをデマスクし、ＣＲＣに含まれたＭＧＩＤから、当該ＩＥがＭ２Ｍ端末に関するものであるか否かを確認することができる。したがって、Ｍ２Ｍ端末は、Ｍ２Ｍ  ＭＡ  Ａ−ＭＡＰ  ＩＥをデコードし、Ｍ２Ｍ  ＭＡ  Ａ−ＭＡＰ  ＩＥに含まれた放送割当情報が指示する割当領域を通じてＭＡＣ制御メッセージであるＡＡＩ−ＭＧＭＣメッセージを受信することができる（Ｓ４１７）。
【０１８７】
Ｓ４１７段階で、ＭＡＣ制御メッセージであるＡＡＩ−ＭＧＭＣメッセージはＭＡＣ  ＰＤＵによって搬送することができる。このとき、ＭＡＣ  ＰＤＵのＭＡＣヘッダ（例、ＡＧＭＨ）に含まれるマルチキャスト制御ＦＩＤは、当該ＭＡＣ  ＰＤＵがＭ２Ｍ機器に関するＭＡＣ制御メッセージを含むこと、及び当該ＭＡＣ  ＰＤＵのペイロードが暗号化されるか否かを表す。
【０１８８】
仮に、一般端末がＳ４１７段階のＭ２Ｍ  ＭＡ  Ａ−ＭＡＰ  ＩＥを受信した場合、一般端末はＭＧＩＤを有していないため、当該Ｍ２Ｍ  ＭＡ  Ａ−ＭＡＰ  ＩＥをデマスクすることができない。したがって、一般端末は、Ｍ２Ｍ  ＭＡ  Ａ−ＭＡＰ  ＩＥをデコードすめことがなく、またＡＡＩ−ＭＧＭＣメッセージを受信しなくて済む。
【０１８９】
図５は、本発明の実施例として、基地局でＭＡＣ制御メッセージをマルチキャスト形式で送信する過程を示すフローチャートである。
【０１９０】
図５は、図３及び図４で説明した本発明の実施例に適用することができる。すなわち、図３及び図４で説明した実施例の基地局が、図５の過程によってＭＡＣ制御メッセージをＭ２Ｍ端末に送信することができる。
【０１９１】
図５を参照すると、基地局でＭ２Ｍ特定ＭＡＣ制御メッセージを構成する（Ｓ５０１）。
基地局は、当該ＭＡＣ制御メッセージが一つのＭＧＩＤで特定される一つのＭ２Ｍグループに関するＭＡＣ制御メッセージであるか否かを判断する（Ｓ５０３）。
【０１９２】
仮に、当該ＭＡＣ制御メッセージが、基地局が管理するＭ２Ｍグループに関するものでなければ、基地局は、ＭＡＣ制御メッセージの送信される割当領域をＢＡ  Ａ−ＭＡＰ  ＩＥを用いて送信し、ＭＡＣ制御メッセージを当該割当領域を通じて放送形式で送信する（Ｓ５０４）。
【０１９３】
Ｓ５０３段階で、当該ＭＡＣ制御メッセージが、基地局が管理するＭ２Ｍグループに関するものであれば、基地局は、ＭＡＣ制御メッセージが暗号化されるか否かを判断する（Ｓ５０５）。
【０１９４】
Ｓ５０５段階でＭＡＣ制御メッセージが暗号化される必要がないと、基地局は、ＭＡＣ制御メッセージに対するＭＡＣ  ＰＤＵのＦＩＤを０ｂ００００に設定し、ＭＡＣ  ＰＤＵのペイロードを暗号化しない（Ｓ５０６）。以降、基地局は、ＭＡＣ制御メッセージに関するリソース割当情報を含むＭ２Ｍ  ＭＡ  Ａ−ＭＡＰ  ＩＥをＭＧＩＤでマスクして送信し、ＭＡＣ制御メッセージをマルチキャスト形式で送信する（Ｓ５０９）。
【０１９５】
Ｓ５０５段階でＭＡＣ制御メッセージが暗号化される必要があると、基地局は、ＭＡＣ制御メッセージに対するＭＡＣ  ＰＤＵのＦＩＤを０ｂ０００１に設定し、ＭＡＣ  ＰＤＵのペイロードに対して暗号化を行う（Ｓ５０７）。以降、基地局はＭＡＣ制御メッセージに関するリソース割当情報を含むＭ２Ｍ  ＭＡ  Ａ−ＭＡＰ  ＩＥをＭＧＩＤでマスクして送信し、ＭＡＣ制御メッセージをマルチキャスト形式で送信する（Ｓ５０９）。
【０１９６】
図６は、本発明の実施例として、Ｍ２Ｍ機器でマルチキャスト形式で送信されるＭＡＣ制御メッセージを受信する過程を示すフローチャートである。
【０１９７】
図６は、図３及び図４で説明した本発明の実施例に適用することができる。すなわち、図３及び図４で説明した実施例のＭ２Ｍ機器が、図６の過程によってＭＡＣ制御メッセージを受信することができる。
【０１９８】
図６を参照すると、Ｍ２Ｍ機器は、自身が保有しているＭＧＩＤを用いてＭ２Ｍ  ＭＡ  Ａ−ＭＡＰ  ＩＥをデマスクすることで、自身に送信されるＭ２Ｍ  ＭＡ  Ａ−ＭＡＰ  ＩＥを検出する（Ｓ６０１）。
【０１９９】
Ｍ２Ｍ機器は、Ｍ２Ｍ  ＭＡ  Ａ−ＭＡＰ  ＩＥに含まれたリソース割当情報に基づいてマルチキャストバーストをデコードすることができる。すなわち、Ｍ２Ｍ機器は、リソース割当情報が指示する割当領域を通じてマルチキャストされる、ＭＡＣ制御メッセージを含むＭＡＣ  ＰＤＵを受信することができる（Ｓ６０３）。
【０２００】
この時、Ｍ２Ｍ機器は、ＭＡＣ  ＰＤＵに含まれたＦＩＤから、当該ＭＡＣ  ＰＤＵがマルチキャストＭＡＣ制御メッセージであるか否かを確認できる。例えば、Ｍ２Ｍ機器は、マルチキャスト制御ＦＩＤが０ｂ０００１であるか、又は０ｂ００００であるか確認する（Ｓ６０５）。
【０２０１】
仮に、ＦＩＤが０ｂ０００１であれば、このＦＩＤは、当該ＭＡＣ制御メッセージがＭ２Ｍ機器に関するものであり、且つ、ＭＡＣ  ＰＤＵのペイロードが暗号化されたことを表す。したがって、Ｍ２Ｍ機器は、ＭＡＣ  ＰＤＵのペイロードに対して解読（Ｄｅｅｎｃｒｙｐｔｉｏｎ）過程を行う。以降、Ｍ２Ｍ機器はメッセージタイプを確認した後、ＭＡＣ制御メッセージに含まれた情報を確認することができる（Ｓ６０７）。
【０２０２】
仮に、ＦＩＤが０ｂ００００であれば、このＦＩＤは、当該ＭＡＣ制御メッセージがＭ２Ｍ機器に関するものであり、且つ、ＭＡＣ  ＰＤＵのペイロードが暗号化されていないことを表す。したがって、Ｍ２Ｍ機器は、ＭＡＣ  ＰＤＵペイロードに対する解読過程を行うことなく、ＭＡＣ制御メッセージに含まれた情報を確認することができる（Ｓ６０９）。
【０２０３】
本発明は、本発明の精神及び必須特徴から逸脱しない範囲で他の特定の形態に具体化することができる。したがって、上記の詳細な説明はいずれの面においても制限的に解釈してはならず、例示的なものとして考慮しなければならない。本発明の範囲は、添付する請求項の合理的解釈によって決定しなければならず、よって、本発明の等価的範囲内における変更はいずれも本発明の範囲に含まれる。また、特許請求の範囲で明示的な引用関係にない請求項を結合して実施例を構成することもでき、出願後の補正によって新しい請求項として含めることもできる。
【産業上の利用可能性】
【０２０４】
本発明の実施例は、様々な無線接続システムに適用することができる。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、これらの様々な無線接続システムの他、これら様々な無線接続システムを応用した如何なる技術分野にも適用することができる。
【図１】
0006055840.tif 000015
【図２】
0006055840.tif 000016
【図３】
0006055840.tif 000017
【図４】
0006055840.tif 000018
【図５】
0006055840.tif 000019
【図６】
0006055840.tif 000020